(57)【要約】連鎖反応マーケティングおよび商業を実施する方法。前述の方法は、コンテンツおよびプロダクト登録し、連鎖反応マーケティングを実施し、オンライン商業を実施するステップと、コンテンツのソースを取得することであって、コンテンツが登録されるプロダクトオブジェクトおよび連鎖ハンガーを含む、取得することと、プロダクトオブジェクトをユーザが購入を希望するプロダクトを含むコンテンツから特定することと、ユーザ、コンテンツ、およびプロダクトオブジェクトについての情報を処理することと、プロダクト購入情報を読み出すことと、そして、購入トランザクションを完了することと、を含む、オンライン商業を実施するステップと、を含む。【選択図】なし
2015524957.tif 000002
【特許請求の範囲】
【請求項１】
（ａ）プロダクトまたはサービス情報を含む少なくとも１つのオブジェクトを含む第１のコンテンツ（親コンテンツ）を作成、取得または特定するステップと、
（ｂ）第２のコンテンツ（子コンテンツ）内の少なくとも１つのオブジェクトが、前記第１のコンテンツ内の少なくとも１つのオブジェクトと相関するかどうかを検証するステップと、そして、
（ｃ）相関性がある場合、前記親コンテンツの前記少なくとも１つのオブジェクトの前記プロダクトまたはサービス情報を、前記子コンテンツの前記少なくとも１つのオブジェクトと関連付けるステップと、
を含む、連鎖反応マーケティングおよび販売のプロセス。
【請求項２】
（ｄ）前記相関性の関係性（複数可）を、前記第１のおよび第２のコンテンツに対する親−子関係性、および／または前記プロダクトまたはサービスを、前記第１のおよび第２のコンテンツおよび／またはそれらの個別の少なくとも１つのオブジェクトと関連付けることによって形成される、それらの個別の少なくとも１つのプロダクトオブジェクトとして記録するステップ、
をさらに含む、請求項１に記載のプロセス。
【請求項３】
（ｅ）前記第１のおよび第２のコンテンツおよびプロダクトまたはサービス情報を、コンテンツ、執筆者、ユーザ、オブジェクト、または他のデータおよび情報またはそれらの組み合わせから選択される、少なくとも１つの要素に関連して登録するステップであって、特有コンテンツおよびプロダクト源ポインタまたは保持部が、前記第１のおよび第２のコンテンツおよびプロダクトまたはサービスに関する情報を、前記第１のおよび第２のコンテンツおよびプロダクトまたはサービスの第１の位置で指し示すまたは保持する、および／または前記第１のおよび第２のコンテンツおよびプロダクトまたはサービス情報の複製された複写を作成し、前記複製された複写を指し示すまたは保持する、ように生成される、ステップ、
をさらに含む、請求項２に記載のプロセス。
【請求項４】
（ｆ）プロダクトの信用性を認証および検証するステップ、
をさらに含む、請求項３に記載のプロセス。
【請求項５】
前記ステップ（ａ）から（ｆ）までを複数回繰り返すステップ、
をさらに含む、請求項４に記載のプロセス。
【請求項６】
（ｇ）少なくとも１つの親−子関係性に基づく少なくとも１つの活動を確立するステップ、
をさらに含む、請求項５に記載のプロセス。
【請求項７】
（ｈ）ユーザが購入を希望するプロダクトまたはサービスを含むコンテンツからのプロダクトまたはサービスオブジェクトを特定するステップと、
（ｉ）プロダクトまたはサービス購入情報を読み出すステップと、
（ｊ）購入トランザクションを完了するステップと、そして、
（ｋ）コンテンツおよび／またはプロダクトまたはサービスオブジェクトの少なくとも１つの親−子関係性に基づく活動を実行する前記プロセスを開始または実行するステップと、
をさらに含む、請求項６に記載のプロセス。
【請求項８】
（ｉ）確立された活動、またはコンテンツおよび／またはプロダクトまたはサービスオブジェクトの親−子関係性を有する、親−子コンテンツ関係性に対する相関性を追跡するプロセス、
をさらに含む、請求項７に記載のプロセス。
【請求項９】
（ａ）少なくとも１つのソースからの第１のコンテンツを作成、取得または特定することと、
（ｂ）少なくとも１つのプロダクトまたはサービスを特定することと、
（ｃ）前記少なくとも１つのプロダクトまたはサービスに関連する前記第１のコンテンツからの少なくとも１つのオブジェクトを特定すること、および、前記少なくとも１つのオブジェクトを前記少なくとも１つのプロダクトまたはサービスと関連付けて少なくとも１つのプロダクトまたはサービスオブジェクトを形成することと、
（ｄ）連鎖反応マーケティングを実施することであって、
（ｉ）前記第１のコンテンツ（親コンテンツ）を前記少なくとも１つのオブジェクトおよび／または前記少なくとも１つのプロダクトまたはサービスオブジェクトと相関させる、第２のコンテンツ（子コンテンツ）を作成、取得または特定するステップと、
（ｉｉ）前記相関性の関係性を親−子関係性として記録するステップと、
（ｉｉｉ）前記少なくとも１つのプロダクトまたはサービスオブジェクトを前記親コンテンツから前記子コンテンツへと継承するステップと、そして、
（ｉｖ）子コンテンツを前記継承プロダクトまたはサービスに登録するステップと、
を含む、前記連鎖反応マーケティングを実施することと、
を含む、連鎖反応マーケティングおよび商業を実施する方法。
【請求項１０】
前記コンテンツ、プロダクトまたはサービス、プロダクトまたはサービスオブジェクト、相関性、および関係性を、マーケティングおよび商業を実施するためのコンピュータに基づくオンラインシステムでの使用のために、接続するおよび鎖でつなぐために、連鎖ハンガー構造を実行するステップであって、前記連鎖ハンガー構造が、
識別情報保持部またはポインタと、
親−子関係情報保持部またはポインタと、
コンテンツ登録情報保持部またはポインタと、
プロダクト登録情報保持部またはポインタと、
追加情報保持部またはポインタと、を含む、ステップ、
をさらに含む、請求項９に記載の方法。
【請求項１１】
前記連鎖ハンガー構造が、
コンテンツ特性のリストを提供するステップと、そして、
プロダクトまたはサービスオブジェクトのセットを提供するステップと、
を含む方法によって実行され、前記連鎖ハンガー構造が、プロダクトオブジェクトを、コンテンツおよび関連するコンテンツ、プロダクト、コンテンツ執筆者、コンテンツおよびプロダクトおよびサービス登録、コンテンツ登録、および相互のプロダクトまたはサービス登録によって構造化し、親−子関係性を追跡するように構成される、請求項１０に記載の方法。
【請求項１２】
前記第１のコンテンツを作成、取得または特定する前記ステップが、
（ｉ）少なくとも１つの要素に対する、少なくとも１つのポインタまたは少なくとも１つの保持部を確立するステップであって、前記少なくとも１つの要素が、コンテンツ、執筆者、ユーザ、オブジェクト、または他のデータおよび情報またはそれらの組み合わせから選択され、コンテンツを登録し、前記特有コンテンツソースポインタまたは保持部が、前記元のコンテンツの情報を、前記元のコンテンツの元の位置で指し示すまたは保持する、および／または前記コンテンツの複製された複写を作成する、ように生成される、ステップ、
をさらに含む、請求項１１に記載の方法。
【請求項１３】
前記第１のコンテンツを作成、取得または特定する前記ステップが、
（ｉｉ）前記コンテンツが前記システム内に以前に登録されたかどうかを決定するステップと、
（ｉｉｉ）前記コンテンツが以前に登録されていなかった場合、前記ユーザおよび前記コンテンツに関連する新規の連鎖ハンガーを作成し、特有コンテンツソースＩＤＳを生成するステップと、
（ｉｖ）前記コンテンツが以前に登録されていた場合、ユーザ情報およびコンテンツ情報を使用して、既存のおよび対応する連鎖ハンガーを読み出すステップと、
（ｖ）親コンテンツを有する新規作成されるコンテンツに対して、前記親コンテンツの前記コンテンツソースＩＤＳを、前記親コンテンツを有する新規作成されるコンテンツの連鎖ハンガーの親コンテンツＩＤＳに指定する、または、親コンテンツが存在しない場合、ＮＵＬＬ値を、前記連鎖ハンガーの前記親コンテンツＩＤＳに指定するステップと、そして、
（ｖｉ）前記コンテンツの執筆者を前記連鎖ハンガーの発信元として記録するステップと、
をさらに含む、請求項１２に記載の方法。
【請求項１４】
少なくとも１つのプロダクトまたはサービスを特定する前記ステップが、
（ｉ）少なくとも１つの要素に対する、情報を含む少なくとも１つのポインタまたは少なくとも１つの保持部を確立するステップであって、前記少なくとも１つの要素が、プロダクトまたはサービス、売主、ユーザ、オブジェクト、または他のデータおよび情報またはそれらの組み合わせから選択され、前記プロダクトまたはサービスを登録し、特有プロダクトまたはサービスソースポインタまたは保持部が、前記元のプロダクトまたはサービスの情報を、前記元のプロダクトまたはサービスの元の位置で指し示すまたは保持する、および／または前記プロダクトまたはサービスの複製された複写を作成する、ように生成されるステップと、
（ｉｉ）前記特定されるプロダクトまたはサービスオブジェクトが以前に登録されていたかどうかを決定し、登録されていない場合、前記連鎖ハンガーのプロダクトまたはサービスオブジェクトのセットから空のプロダクトまたはサービスオブジェクトリストが取得され、特有プロダクトまたはサービスオブジェクトＩＤが指定され、前記プロダクトまたはサービスオブジェクトＩＤが前記連鎖ハンガーのコンテンツ特性のリストの前記プロダクトまたはサービスオブジェクト内に含まれるステップと、
（ｉｉｉ）前記特定されるプロダクトまたはサービスオブジェクトが以前に登録されていたかどうかを決定し、登録されている場合、連鎖ハンガー内の情報が指定されるまたは更新されるステップと、
をさらに含む、請求項１１に記載の方法。
【請求項１５】
前記プロダクトまたはサービスを登録する前記ステップが、（ｉｖ）プロダクトの信用性を認証および検証するステップ、をさらに含む、請求項１４に記載の方法。
【請求項１６】
前記連鎖反応マーケティングを実施する前記ステップが、
（ｖ）それと関連する、登録されるプロダクトまたはサービスオブジェクトおよび連鎖ハンガーを有する、コンテンツを取得するステップと、
（ｖｉ）前記コンテンツの前記連鎖ハンガーからコンテンツソースＩＤＳを読み出すステップと、
（ｖｉｉ）コメントを提供し、前記コンテンツと関連付けるステップと、
（ｖｉｉｉ）前記コメント内のオブジェクトが、前記親コンテンツ内のオブジェクトまたは前記親コンテンツの連鎖ハンガー内のプロダクトオブジェクトと相関するかどうかを検証し、相関性がある場合、新規の連鎖ハンガーが作成され、コメント作成者および前記コメントと関連付けられるステップと、そして、
（ｉｘ）前記新規の連鎖ハンガーコンテンツ特性のリストを更新するステップと、
をさらに含む、請求項９に記載の方法。
【請求項１７】
（ｅ）オンライン商業を実施するステップであって、
（ｉ）それと関連する、登録されるプロダクトまたはサービスオブジェクトを有するコンテンツを取得することと、
（ｉｉ）ユーザが購入を希望するプロダクトまたはサービスを含む前記コンテンツからのプロダクトまたはサービスオブジェクトを特定することと、
（ｉｉｉ）前記ユーザ、前記コンテンツ、前記プロダクトまたはサービスオブジェクト、および他のデータおよび情報についての情報を処理することと、
（ｉｖ）プロダクトまたはサービス購入情報を読み出すことと、そして、
（ｖ）購入トランザクションを完了することと、
を含む、ステップ、
をさらに含む、請求項９に記載の方法。
【請求項１８】
（ｆ）前記親−子関係性に基づいて確立された活動を更新するステップ、
をさらに含む、請求項１７に記載の方法。
【請求項１９】
連鎖反応マーケティングおよび商業を実施するためのコンピュータに基づくオンラインシステムであって、
（ａ）システム情報を管理するために構成された中央制御レポジトリであって、前記中央制御レポジトリが、プロダクトまたはサービス登録ツール、コメント提供ツール、商業実施ツールを含む、複数のシステムツールに動作可能に接続される、中央制御レポジトリと、
（ｂ）システムコンテンツを記憶および管理するために構成されたコンテンツレポジトリであって、前記コンテンツレポジトリが、前記プロダクトまたはサービス登録ツールおよび前記コメント提供ツールに動作可能に接続される、コンテンツレポジトリと、
（ｃ）ユーザ情報を記憶および管理するために構成されたユーザレポジトリであって、前記ユーザレポジトリが、前記プロダクトまたはサービス登録ツールおよび前記コメント提供ツールに動作可能に接続される、ユーザレポジトリと、
（ｄ）プロダクトまたはサービス情報を記憶および管理するために構成されたプロダクトまたはサービスレポジトリであって、前記プロダクトまたはサービスレポジトリが、前記プロダクトまたはサービス登録ツールおよび前記商業実施ツールに動作可能に接続される、プロダクトまたはサービスレポジトリと、
（ｅ）商業情報を記憶および管理するために構成された商業レポジトリであって、前記商業レポジトリが、前記商業実施ツールに動作可能に接続される、商業レポジトリと、
（ｆ）複数の連鎖ハンガーを層状の構成で管理するために構成されたコンテンツ継承階層であって、前記コンテンツ継承階層が、後活動を確立するように構成される、コンテンツ継承階層と、
を含む、システム。
【請求項２０】
前記中央制御レポジトリが連鎖ハンガーを実行し、各前記連鎖ハンガーがコンテンツ特性のリストおよびプロダクトオブジェクトのセットを含み、前記連鎖ハンガーがプロダクトオブジェクトをコンテンツおよび関連するコンテンツ、プロダクト、コンテンツ執筆者およびプロダクト登録の総合によって組織化する、請求項１９に記載のシステム。
【発明の詳細な説明】
【技術分野】
【０００１】
本明細書はマーケティングと商業の連鎖反応のオンラインシステムに関するものである。
【背景技術】
【０００２】
製品およびサービスの販売とマーケティングは伝統的に様々なメディアを利用してきた製造者およびサービス提供者によって先導されてきた。電子商取引、オンラインストア、ウェブサイト、ソーシャルメディア、ソーシャルネットワーキング、製品紹介プログラムなども製品とサービスの販売とマーケティングにおいて重要な役割を担っている。
【０００３】
察され得るように、マーケティングの目的は販売を最大にするために製品もしくはサービスの認知を促進することである。様々なマーケティングの場の増加により、製品を売り込む方法が増え、適切な受け手を標的にしながら、市場の獲得を確実にするためマーケティング費が増加した。
【０００４】
もちろん製品販売は色々な方法で実現される。ほとんどの製品は電子的にオンラインで販売され得る。製品もしくはサービス紹介プログラムなどの販売プログラムは、製品もしくはサービスを販売したい人達、または製品もしくはサービスのマーケティングを支援するために製品もしくはサービスの情報をただ知らせたい人達のために作られた。紹介プログラムは紹介者に金銭的利益を提供することによってよく奨励される。しかしながら、電子取引店舗もしくは製品中継所を設立することは技術的な支援とプログラミングの努力だけではなく販売の努力も必要とされる。現在の科学技術は努力が最小限ですむことを意図しているが、十分な科学技術の経歴がないユーザはセットアップとメンテナンスで負担に直面する。さらに努力が関係しているため、紹介も中継も製造者もしくはサービス提供者のための効果的な製品もしくはサービスマーケティングを提供しない。
【０００５】
本明細書で用いられるコンテンツは、任意の形式の、文書の一部、または完全な文書、または文書の異なる部分の組み合わせ、またはいくつかの文書、またはいくつかの完全な文書として定義され、例えば、ウェブログ（ブログまたはフォーラムなど）、写真、画像、ＸＭＬコンテンツ、ＨＴＭＬコンテンツ、あらゆる電子文書、あらゆる電子コンテンツ、ファイル、ウェブコンテンツ等が挙げられるがそれらに限定されない。本明細書に記載されるコンテンツは、制限ではなく例として、コンテンツ形式のオブジェクト（複数可）、文字（複数可）、単語（複数可）、声明（複数可）、段落（複数可）、音声、他のメディア、写真（複数可）、画像（複数可）、写真または画像の部分（複数可）、それらのあらゆる組み合わせまたは部分等としても定義可能である。したがって、コンテンツおよびオブジェクト（複数可）は、説明をより明確にすることができるいずれの場合およびいずれの場所でも、互換的に使用される。コンテンツは、いかなる可能な手段によって作成されてもよい（手動で、または自動的に、人間もしくは機械等によって、または任意のソースから取得する、または任意の方法で作成または特定する）。
【０００６】
一態様において、コンテンツを登録することにより、製品やサービス（以下両方とも「プロダクト」または「製品」とよぶ）の普及を促進することを誰でもできるようにすること、コンテンツ登録者のための電子取引店舗を設立すること、および、限定しないが、読むこと、論評すること、勉強することなどのような作業の遂行能力を通してそのようなコンテンツからどこででも製品を購入することを誰でもできるようにすることにより、マーケティングおよび販売の課題を解決する方法およびシステムを提供する。登録者はコンテンツ執筆者もしくはコンテンツを登録した者になり得る。コンテンツを登録する為の登録者権利は異なる方針で実装され得る。
【０００７】
別の態様において、コンテンツを作成している間、または、実行者によって作成されたかどうかに関わらず、読むこと、論評すること、勉強することなど、コンテンツ上で何らかの操作を行っている間に、誰でも製品を販売および／または購入できるようにする方法およびシステムを提供する。コンテンツを選択し、ここで提供されたシステムに登録する為に提供されたツールを誰もが使え得る。それ故、プロダクトオブジェクトとしてコンテンツを製品または複数の製品と関連付けることができる。次いでそのようなプロダクトオブジェクトは連鎖反応マーケティングと電子商取引への準備ができている。こうして、誰もがどこからでも製品を売買でき得る。本方法およびシステムは、コンテンツの選択および登録、製品の選択および登録、ならびに、コンテンツと製品との関連付けが機械自動化により実現されるような方法で、アルゴリズム（例えば、これらに限定されないが、テキストマイニング、パターン認識、物体認識等、もしくはそれらの組み合わせ）を統合し得る。
【０００８】
一形態において、本明細書で開示される方法およびシステムは製品の信頼性の証明と検証、電子商取引、製品信頼評価等を提供し、透過的かつシームレスに機能する。察され得るように、説明されたマーケティング方法は製造者によって動かされているが、主に顧客主導であり、顧客主導のターゲットマーケティングを表す。これは、効果的で金銭的に効率がいい。
【０００９】
別の態様において、個人の技術、プログラミング、または管理努力を必要とせず、その個人のための電子商取引店舗を設立する方法およびシステムを提供する。必要なのは、前記システムによって提供されたツールを使うことによってコンテンツ内のプロダクトオブジェクトを関連付けることだけであるが、そのような関連付けは本明細書で説明されるように自動的に行うことができる。製品はコンテンツによって宣伝され、コンテンツと共に伝わる。このコンテンツは、製品（複数可）、個人の電子取引店舗、および電子取引を宣伝するメディアである。
【００１０】
ある一形態において、製品はコンテンツの共有、コンテンツへのコメント、ソーシャルネットワーキングによって広く、急速にそして世界的に広がる。
【００１１】
さらに別の態様において、コンテンツに含まれる全てのプロダクトオブジェクトのコンテンツ継承に対するあらゆるコメントを作成するアルゴリズムが提供され、新たに言及されるまたは関係するまたは派生したコンテンツもプロダクトキャリアとなり、これが、別のコメント作成者によりコメントされ得る。プロダクトオブジェクトを含むコンテンツにコメントしたあらゆる個人がまた、透過的かつシームレスにその個人のための電子取引店舗を設立する。そのようなマーケティングの連鎖反応は情報および製品販売を途方もない速度で広め、電子商取引販売を至る所で生じさせる。
【００１２】
さらに別の形態において、プロダクトを探すために電子取引店舗に行く必要はない。買い手はただコンテンツを検索し、そのプロダクトが現れたコンテンツからプロダクトを注文することができる。全てのプロダクト情報および価格比較は、登録されている製造業者および製品販売店から全ての情報を収集する、提供されたシステムからロードされる。
【００１３】
さらなる一形態において、コンテンツの議論に関係する個人もしくは関係するコンテンツでプロダクトを買った個人に新しい取引もしくはプロダクトに関するニュースを知らせることが可能な文脈認識マーケティングおよび商業システムが提供される。
【００１４】
一態様において、製品登録の方法およびシステムが提供される。本方法はコンテンツのソースからコンテンツを作り出し、または取得するステップと、コンテンツ中のオブジェクトを特定するステップであって、そのオブジェクトが１つ以上の文字、１つ以上の声明、１つ以上の段落、１つ以上の写真、１つ以上の画像、１つ以上の音声、１つ以上の他の種類のメディア、またはそれらの組み合わせもしくは部分から選択される、ステップと、コンテンツが以前システムに登録されていたかどうかを判定するステップと、コンテンツが以前登録されていない場合、ユーザおよびコンテンツに関連する新しい連鎖ハンガーを作り出し、固有のコンテンツソースＩＤＳを生成するステップと、コンテンツが以前登録されている場合、ユーザ情報およびコンテンツ情報を含むがそれらに限定されない情報を用いて、既存のおよび対応する連鎖ハンガーを取得するステップと、親コンテンツを有する新しく作り出されたコンテンツについては、親コンテンツのコンテンツソースＩＤＳを、親コンテンツを有する新しく作り出されたコンテンツのための連鎖ハンガーの親コンテンツＩＤＳに割り当てるか、また親コンテンツが存在しない場合は、ＮＵＬＬ値を連鎖ハンガーの親コンテンツＩＤＳに割り当てるステップと、コンテンツ執筆者を連鎖ハンガーの発信元として記録するステップと、を含む。
【００１５】
別の態様において、連鎖反応マーケティングおよび販売の工程を提供する。本工程はコンテンツのソースを取得するステップであって、そのコンテンツが登録されたプロダクトオブジェクトおよび連鎖ハンガーを含む、ステップと、コンテンツの連鎖ハンガーからコンテンツソースＩＤＳを取得するステップと、コンテンツにコメントを提供し、関連付けるステップと、プロダクトオブジェクトは特定の実装に適しているいずれの場所にも格納され得るが、コメントが親コンテンツ、または親コンテンツの連鎖ハンガーに格納されている親コンテンツ上のプロダクトオブジェクトと相関関係があるかどうかを検証して、相関関係がある場合は、新しい連鎖ハンガーが作り出され、コメント作成者およびコメントに関連付け、それが新しいコンテンツを形成する、ステップと、新しい連鎖ハンガーのコンテンツ特性のリストを更新するステップと、を含む。相関関係はコンテンツマッチング、マッピング技術によって付けられ、これらに限定されないが、テキストマッチング、ファジーマッチング、パターン認識、音声／発話処理および認識、コンテンツ理解、文脈認識、データ／テキスト／オブジェクトマイニング等、もしくはそれらの組み合わせなどの他の存在する技術によっても相関関係が付けられる。
【００１６】
さらに別の態様では、オンライン商業を実行する工程を提供する。本工程は登録されたプロダクトオブジェクトおよび連鎖ハンガーを含むコンテンツのソースを獲得するステップと、ユーザが購入したい製品を含むコンテンツからプロダクトオブジェクトを特定するステップと、ユーザ、コンテンツ、およびプロダクトオブジェクトに関する情報を処理するステップと、プロダクト購入情報を取得するステップと、購入取引を完了するステップとを含む。
【００１７】
さらなる態様において、連鎖反応マーケティングおよび商業を実行する方法を提供する。本方法は製品を登録するステップと、連鎖反応マーケティングを実行するステップと、オンライン商業を実行するステップであって、オンライン商業を実行する前記ステップは、登録されたプロダクトオブジェクトおよび連鎖ハンガーを含むコンテンツのソースを獲得することを含む、ステップと、ユーザが購入したい製品を含むコンテンツからプロダクトオブジェクトを特定するステップと、ユーザ、コンテンツ、およびプロダクトオブジェクトに関する情報を処理するステップと、プロダクト購入情報を取得するステップと、購入取引を完了するステップとを含む。
【００１８】
これらおよび他の特徴は添付図面を参照にした詳細説明により明らかになる。
【００１９】
さらなる説明が、限定ではない例として、以下の説明および示される図面を参照してなされ得る。
【図面の簡単な説明】
【００２０】
【図１】本明細書で開示されるシステム１００の様々な動作方法を図示する。
【図２】本明細書で開示されるシステムのサービスを提供する主な３つのツールを表す。
【図３】本明細書に従って、連鎖ハンガーの構造を図示する。
【図４】本明細書に従って、マーケティングと商業を可能にする機能とツールを提供するシステムを図示する。
【図５】本明細書に従って、コンテンツとプロダクト登録の方法の１つの形態を図示する。
【図６】本明細書に従って、コンテンツとプロダクト登録の方法の別の形態を図示する。
【図７】本明細書に従って、連鎖反応マーケティングと販売の方法の１つの形態を図示する。
【図８】本明細書に従って、連鎖反応マーケティングと販売の方法の別の形態を図示する。
【図９】どこででも商業を実行する工程を説明する。
【発明を実施するための形態】
【００２１】
図示の目的で選択された特定の形態を参照しながら、様々な態様が以降説明される。本明細書で開示されるシステムおよび方法の趣旨および範囲は、選択された形態に限定されないことが理解されよう。さらに、本明細書で提供される図は、どのような特定の比率および縮尺でも描かれておらず、図示された形態に多くの変化を持たせ得ることに留意されたい。ここで図１〜９を参照する。
【００２２】
本明細書で用いられる、単数形の文法形式で記載される以下の用語「ａ」、「ａｎ」、および「ｔｈｅ」はそれぞれ、本明細書で別途特定的に定義もしくは記述されない限り、またはその文脈が明白に別途決定しない限り、複数の記述されたエンティティまたはオブジェクトも指し、また包含することができる。
【００２３】
本明細書で用いられる、以下の用語、「含む（ｉｎｃｌｕｄｅｓ）」、「含む（ｉｎｃｌｕｄｉｎｇ）」、「有する（ｈａｓ）」、「有する（ｈａｖｉｎｇ）」、「含む（ｃｏｍｐｒｉｓｅｓ）」、および「含む（ｃｏｍｐｒｉｓｉｎｇ）」、ならびにこれらの言語学的もしくは文法的な異形、派生語、および／または複合形はそれぞれ、「含むが、限定されない」ことを意味する。
【００２４】
実例としての説明、実施例、および添付請求項を通じて、パラメーターの数値、特徴、オブジェクト、もしくは寸法は、数値範囲の形式で記述され、説明される場合がある。記述される数値範囲形式は本明細書で開示される形態の実装例を図示するために提供されるものであり、本明細書で開示される形態の範囲を頑なに限定するものとして理解または解釈されるものではないことを完全に理解されたい。
【００２５】
さらに、数値範囲を記述し、説明するために、「約一番目の数値と約二番目の数値の間の範囲」という文章は「約一番目の数値から約二番目の数値までの範囲」という文章と同等および同一の意味で、次いで、２つの同等の意味の文章は交換可能に用いられ得る。
【００２６】
本明細書で開示される様々な形態は、その適用にあたって、本明細書で別様に明確に記載されていない限り、本方法のいくつかの形態の動作または実装の、ステップまたは手順およびサブステップまたはサブ手順の、詳細な順番または順序および数にも、以下の例示的な説明および例に記載されるステップの詳細な種類、構成および順番にも限定されない、ということが理解される。本明細書に開示されるシステムと方法は様々な他の代替形態に従って、または様々な他の代替方法によって実施もしくは実装可能である。
【００２７】
本開示を通して本明細書で用いられる全ての技術的および特定の単語、言葉、および／または句は、本明細書で特定的に定義もしくは記述されない限り当業者に通常理解されている意味と同一もしくは類似の意味を持つ。本開示を通して本明細書で用いられる言語の使用法、専門用語および表記法は説明目的のためであり、限定されるとみなすべきではない。
【００２８】
定義
Ａ．概要：
Ｎ→ｎとはＮが特性ｎを有することを意味する。
【００２９】
Ｎ・ｎとはｎはＮの構成要素または要素であることを意味する。
【００３０】
Ｎ＝ｎとはｎはＮの値であることを意味する。
【００３１】
｜ｎ｜とはｎの値またはｎのオリジナルコンテンツであることを意味する。
【００３２】
｜｜Ｎ｜｜とは集合Ｎの要素の総数を意味する。
【００３３】
Ｎ・→ｎとはＮがｎを指し示していることを意味する。
【００３４】
Ｂ．コンテンツ：
Ｔは任意の種類のテキストからなる集合として定義され、Ｐは任意の種類の写真からなる集合であり、Ｉは任意の種類の画像からなる集合であり、Ｖは任意の種類の音声からなる集合であり、Ｍはいずれの意味も表現することができる任意の種類の他のメディアからなる集合であり、Ｃは５つ組｛Ｔ、Ｐ、Ｉ、Ｖ、Ｍ｝で形成されるコンテンツの集合である。言い換えれば、Ｃ＝｛ｃ１、ｃ２、．．．、ｃｉ、．．．｝であり、式中、ｃｉはＣの中の任意のコンテンツであり、ｃｉはＴ、Ｐ、Ｉ、Ｖ、およびＭの構成要素のいずれの組み合わせまたは構造であってもよい。
【００３５】
記述的便宜上、ｃｉは「コンテンツ」としても言及される。コンテンツは、限定されないが、記事、ウェブログ（ビーボグ、フォーラムまたは別の形式）、ウェブコンテンツ、ＸＭＬ、ＨＴＭＬ、写真、画像、音声、メディアおよび他のあらゆる文書を含む。
【００３６】
ｃＰｉｊは、ｃｊが、ｃｉにコメントしたことから派生またはそれを元にしたものである場合、ｃｉがｃｊの親コンテンツであることを意味する。逆に、ｃＣｊｉは、ｃｊが、ｃｉにコメントしたことから派生またはそれを元にしたものである場合、ｃｊがｃｉの子コンテンツであることを意味する。
【００３７】
Ｃ．コンテンツ特性：
コンテンツＩＤ、ｃｉｄはコンテンツ、ｃｉの特性である。コンテンツを一意的に識別し、ｃｉ→ｃｉｄと記号で表す。
【００３８】
親コンテンツＩＤＳ、ＣＩＤＳｐはコンテンツｃｉの特性集合である。ｃｉが言及するコンテンツを指し示す全てのコンテンツＩＤｓを含む。ＣＩＤＳｐ＝｛ｃｉｄ１、ｃｉｄ２、ｃｉｄｉ．．．｝。ＣＩＤＳｐは空になり得る。ＣＩＤＳｐが空の場合、次いでｃｉはルートコンテンツである。これは、他のコンテンツを参照することなく作り出される。親コンテンツＩＤＳはｃｉ→ＣＩＤＳｐと記号で表す。
【００３９】
コンテンツ発信元はコンテンツの作成に責任のある代表者である。コンテンツは人、機械、または他のエンティティによって作り出され得る。
【００４０】
発信元ＩＤＳ、ＯＩＤＳはコンテンツ、ｃｉの特性集合である。これは、全てのコンテンツ発信元を指し示す、コンテンツの全てのコンテンツ発信元ＩＤｓを含む。ＯＩＤＳ＝｛ｏｉｄ１、ｏｉｄ２、ｏｉｄｉ．．．｝。ＯＩＤＳは少なくとも１つのコンテンツ発信元を含み、ｃｉ→ＯＩＤＳと記号で表す。
【００４１】
プロダクトオブジェクト、ｐｏｉ、はシステムにうまく登録されたコンテンツｃｉで特定されたコンテンツと定義される。したがって、ｐｏｉはｃｉのいずれかの一部またはｃｉと同等である。プロダクトオブジェクト、ｐｏｉは、限定はしないが、文字（複数可）、単語（複数可）、声明、写真、画像、写真または画像の部分、コンテンツ上のいかなるオブジェクト、またはそれらの組み合わせ、を含む。プロダクトオブジェクトもコンテンツになり得る。
【００４２】
プロダクトオブジェクト、ＰＯＳ、はコンテンツｃｉの特性集合である。ｃｉの全てのプロダクトオブジェクトを含む。ＰＯＳ＝｛ｐｏ１、ｐｏ２、ｐｏｉ．．．｝。ＰＯＳは、コンテンツがいずれの製品にも関係付けられずにシステムに登録されているのではない限り、少なくとも１つのプロダクトオブジェクトを含む。ｃｉ→ＰＯＳと記号で表す。
【００４３】
Ｄ．プロダクトオブジェクト特性：
プロダクトオブジェクトＩＤ、ｐｏｉｄ、はプロダクトオブジェクトｐｏｉの特性である。これは、プロダクトオブジェクトを一意的に識別し、ｃｉ→ＰＯＳ・ｐｏｊ→ｐｏｉｄと記号で表す。
【００４４】
レジデンシャル情報、ｒｉｎｆｏ、はプロダクトオブジェクトｐｏｉの特性である。ｃｉ中のｐｏｉを位置づけるのに十分なｐｏｉの値の情報を一意的に含んでいる。情報はｃｉ中のｐｏｉの位置または他の情報を含む。これは、ｃｉ→ＰＯＳ・ｐｏｊ→ｒｉｎｆｏと記号で表す。
【００４５】
プロダクトＩＤ、ｐｉｄ、はプロダクトオブジェクト、ｐｏｉの特性である。ｐｏｉに関連する製品を指し示していて、ｃｉ→ＰＯＳ・ｐｏｊ→ｐｉｄと記号で表す。
【００４６】
プロダクト登録はプロダクトの登録に責任のある代表者である。プロダクトは人、機械、または他のエンティティによって登録され得る。プロダクト登録は競争または共存またはコンテンツ上の同じコンテンツおよび同じプロジェクトオブジェクトに関する他の形式を元にし得る。登録が競争に基づく場合、最初の成功登録がコンテンツのプロダクトオブジェクト上のプロダクトの登録者となる。登録者はコンテンツの発信元である必要はないことに留意されたい。言い換えると、登録はプロダクトオブジェクトのプロダクトを登録していない違う発信元によって作り出されたコンテンツ上のプロダクトオブジェクトのプロダクトを登録し得る。しかしながら、システムは違う方針では異なって実装され得る。
【００４７】
プロダクト登録ＩＤ，ｒｉｄはプロダクト登録を指し示す唯一のＩＤである。
【００４８】
プロダクト登録ＲＩＤＳはプロダクトオブジェクトｐｏｉの特性集合である。ｐｏｉを一緒に登録した全てのｐｏｉプロダクト登録ＩＤｓを含む。ＲＩＤＳ＝｛ｒｉｄ１、ｒｉｄ２、ｒｉｄｉ．．．｝。ＲＩＤＳは少なくとも１つのプロダクト登録を含む。これは、ｃｉ→ＰＯＳ・ｐｏｊ→ＲＩＤＳ・ｒｉｄｌと記号で表す。
【００４９】
ここで図１を参照すると、本明細書で開示されるシステム１００の様々な動作態様が示される。動作中、システム１００は、サーバ（複数可）１１０に搭載され、動作する。クライアントコンピュータ１２０は、システム１００が提供し、サーバ１１０上に存在するソフトウェアを使用して、サーバ１１０からサービスを直接受信し得るように、サーバ１１０に直接登録され、連動する。サーバ１３０は、そのクライアント１４０に、サーバ１１０とは異なるサービスを提供する対外向けサーバである。全ての接続は、ネットワーク１５０を通して完了し、これは当業者が明らかに認識するように、ローカルエリアネットワーク、グローバルネットワーク、インターネット、無線、などであり得るが、これに限定されない。システム１００はまた、任意の全ての形態の可動性および無線装置および環境、クラウドコンピューティング装置および環境、およびデータおよび情報が電子的に処理される装置および環境と、相互作用および連動するように構成され得る。それ自体、クライアントコンピュータ１２０および１４０は、（図式的に描写されるように）コンピュータに限定されないが、当業者が明らかに認識するように、任意の全ての形態の可動性および無線装置および環境を含むとも考えられる。
【００５０】
サーバ１３０がサーバ１１０に登録を行い、要求されるサービスがサーバ１１０に承認された後、サーバ１３０に登録または接続される全てのクライアント１４０は、サーバ１３０を通してサーバ１１０からのサービスを利用可能である。クライアント１２０またはクライアント１４０のどちらであるかに関わらず、クライアントは、サーバ１１０が提供するソフトウェアの使用、またはサーバ１１０からのソフトウェアツールがそれらと連携することを許すそれらの既存ソフトウェアの使用のいずれかによって、サーバ１１０により提供されるサービスを使用可能である。クライアントが、サーバ１１０によって直接提供されるソフトウェアを使用する態様は、ネイティブ動作モード（ＮＯＭ）と呼ばれる一方で、クライアントがサーバ１１０からのツールと共に、その既存ソフトウェアを使用する態様は、フォーリン動作モード（ＦＯＭ）と呼ばれる。
【００５１】
しかしながら、どの動作モードを使用するかに関わらず、システムおよび方法論は同様であり、唯一の相違点は実装構成である。今日のプログラミング技術では、サーバ１１０は２つのモードを同時にかつシームレスに支持することが可能である。
【００５２】
ここで図２を参照すると、サービス提供のための３つの主要なツールが描写される。これらは、プロダクト登録ツール２１０、コメントツール２２０、および商業ツール２３０を含む。システム１００は、コンテンツを通してそのサービスを提供し、ネイティブ動作モードまたはフォーリン動作モードのどちらで動作するかに関わらず、そのようなコンテンツは、ウェブページ、ウェブログ（ブログ、フォーラム、または他の形態）、ソーシャルメディア、写真、画像、ＸＭＬコンテンツ、ＨＴＭＬコンテンツ、または他の電子文書コンテンツまたはファイルの形態であるが、これに限定されない。この３つのツールのいずれかを任意のコンテンツに適用することは、プロダクトのマーケティングおよび販売、プロダクトの電子商取引、およびプロダクトの購入などの、そのコンテンツへの機能の実施を可能にする。ここでこの３つのツールの機能を、コンテンツ２５０との関連で記載する。
【００５３】
例として、コンテンツ２５０がソーシャルメディアからのブログコンテンツであり、人、ユーザＡが、製品ＡＢＣおよびＸＹＺに関する彼の経験を表現したいと仮定する。彼は、製品ＡＢＣを宣伝して、彼のコンテンツの結果として、またはそれから、および彼のコンテンツから派生するコンテンツから製品ＡＢＣの購入が発生する度に、手数料および返金などの金銭的利益、クーポン、評判、活動への参加などの利益を得たいとも仮定する。派生コンテンツは、ユーザＡのコンテンツへの追加のコメントがウェブサイト、ブログ、または他の手段から投稿され、その派生コンテンツ内で製品ＡＢＣに言及するときに発生する。この「言及」とは、コメントとその親コンテンツとの相関関係を検出するためにここで実装するマッチング技術である。しかしながら、親−子の相関関係の決定はまた、テキストマッチング、ファジーマッチング、パターン認識、音声／会話処理および認識、コンテンツ理解、文脈認識、データ／テキスト／オブジェクトマイニング、またはこれらの組み合わせなどの、しかしこれに限定されない、他の多くの既存技術を使用することで行われ得る。
【００５４】
ユーザＡは、現在の例におけるＡＢＣなどのコンテンツを特定し、プロダクト登録ツール２１０を適用する。プロダクト登録ツール２１０は、ユーザＡが取り組んでいるコンテンツ、例えばコンテンツ２５０、およびその特定されるコンテンツに関する他の必須情報、例えばコンテンツＡＢＣ、を指し示すポインタをシステム１００内に設置する。プロダクト登録ツール２１０はまた、特定されるオブジェクトおよびコンテンツの両方を、システム１００内で他のユーザが容易に検索し得るように、システム１００内のコンテンツの複写を複製し得る。
【００５５】
実装は、実質的に無限の柔軟性を持って、熟練した開発者によって容易に行い得、そのような様々な実装は、明らかに本発明の範囲内である。例中のＡＢＣなどの、特定されるオブジェクトは、コンテンツ２５０内のプロダクトオブジェクトと呼ばれる。ＡＢＣは宣伝される製品の実際の名称ではなくてもよいため、実際の製品名は、本明細書においてはプロダクトと呼ばれる。ユーザは、プロダクトオブジェクト、この例ではコンテンツＡＢＣ、およびプロダクト、およびプロダクトを宣伝するための登録の目的で、プロダクト登録ツール２１０が依頼する任意の他の情報を特定する。要求される情報は、実装ごとに異なり得る。熟練した開発者は、各実装を個別的に変更し得、そのような様々な実装は、本発明の範囲内である。例えば、宣伝される実際のプロダクトは「ＧＥ（登録商標）ＬＥＤ」である一方で、製品ＡＢＣは「ＬＥＤ電球」であり得る。一方、プロダクトオブジェクトおよびプロダクトは、製品ＡＢＣが「ＧＥ（登録商標）ＬＥＤ」であり得、対応するプロダクトもまた「ＧＥ（登録商標）ＬＥＤ」であり得るように、表現という意味では同様であり得る。プロダクトが無事登録された後、コンテンツは宣伝を伝え、ユーザの利益を提供するために利用可能となる。
【００５６】
ここで、別のユーザ、ユーザＢが、コンテンツ２５０を観察し、彼自身がコンテンツ２５０にコメントしたいと仮定する。ユーザＢは、彼のコメントを作成するために任意のツールを使用し得る。しかしながら、ユーザＢが、コメントを作成するためにコメントツール２２０またはコメントツール２２０の機能と一体化した他のいかなるツールを使用する場合も、ユーザＢのコメントは、宣伝の伝達手段となり得、その後ユーザＡが経た登録工程を経ることなく、利益を獲得し得る。そのような利益は、手数料、返金、ポイントなどの金銭的利益、参加するための活動または活動（複数）などであり得る。熟練した開発者は、様々な実装技術などの異なる方法で実装を取り扱い得、これは本発明の範囲内である。現在の例における場合のように、手数料利益が実装されると、ユーザＢのコメントはユーザＡのコメントに基づくため、実装される手数料方針に応じて、一部をユーザＡに提供するためにユーザＢの手数料利益は縮小され得る。ユーザＢがユーザＡのコンテンツにコメントする際、ユーザＡのコンテンツ、または製品ＡＢＣへのコメントなどの、ユーザＡのコンテンツ内のプロダクトオブジェクトと相関関係にあるユーザＢのコメント内の任意のコンテンツを、それはユーザＡのコンテンツに関連するため、それは「子」プロダクトオブジェクトであるという条件で、ユーザＢのプロダクトオブジェクトとして自動的かつシームレスに登録する。この場合もやはり、そのような相関関係は、例えばテキストマッチング、ファジーマッチング、パターン認識、音声／会話処理および認識、コンテンツ理解、文脈認識、データ／テキスト／オブジェクトマイニング、またはこれらの組み合わせなどの、しかしこれに限定的ではない、多くの既存技術の使用によって行われ得る。例えば、現在の例において、テキストマッチングの単純な技術が使用され得、ユーザＢは、コメント内で「はい、私は製品ＡＢＣが私にも役立つことに同意します。」などと発言し得る。
【００５７】
このシステムは、ユーザがコンテンツを執筆、または獲得するかに関わらず、ユーザが任意のコンテンツに取り組むことを許す。これに限定的ではないが、例えばこのシステムは、ユーザが別のユーザのコンテンツに進み、そのコンテンツの元の執筆者が登録していなかったプロダクトオブジェクトを登録し得るような場合を提供する。例えば、ユーザＢは、そのコンテンツがユーザＡによって創出されたにも関わらず、ＸＹＺを登録し得る。ユーザＢはまた、ユーザＡが登録したものとは異なる製品にＡＢＣを登録し得る。熟練した開発者は、執筆者の権利への検討なしに、または複製または複数の製品で製品登録が許可される場合について異なる方針を実装し得る、そのような様々な実装は、本発明の範囲内である。さらに、熟練した開発者は、利益の獲得、金銭的利益の計算、および登録が動作する方法について異なる方針を実装し得、そのような様々な実装は、本発明の範囲内であるべきである。
【００５８】
最後に、コンテンツおよび同類物を発見（または取得）し、それが伝達するものを非常に好むユーザ、ユーザＣがいると仮定する。ユーザＣは、製品ＡＢＣおよび／または製品ＸＹＺを注文することを希望し、それらを、他のオンラインストアへ進むことなくそのコンテンツから注文し得る。これを行うために、ユーザＣは商業ツール２３０を使用する。商業ツール２３０は、プロダクト情報、予想される売主、価格情報、およびユーザがどこに注文するかを決定し、取引を完了するために要求する他の全ての情報などの、しかしこれに限定的ではない、製品（複数可）の購入に必要な情報をユーザＣに提供する。もちろん、システム１００は、追跡および手数料計算などの全ての活動が製品宣伝者、この場合はユーザＡ、のために記録され得るように、商業取引に要求される全ての説明責任情報を保持する。ユーザＣが製品ＡＢＣおよび製品ＸＹＺを注文する場合、またはユーザＢのコメントから注文する場合、ユーザＡおよびユーザＢの両方がこの取引から利益を得る。この場合もやはり、誘因行動または事象または他の活動は、実装ごとに実装されてもされなくてもよい。
【００５９】
コンテンツの様々なインスタンス内で関係性を追跡することは、売り上げ手数料の計算などの任意の活動のための基礎を確立するのに使用されるため、非常に重要である。本明細書に開示される工程は、手数料などの活動が創出されるコンテンツのインスタンスの連鎖ハンガーを取得することと、連鎖コンテンツ内で親−子関係性を追跡することと、この親−子のコンテンツ関係性に基づいて売り上げ手数料などの活動を確立することと、そのように確立する売り上げ手数料などの活動を追跡することと、を含む。
【００６０】
察され得るように、ユーザＣは、手数料の獲得などの活動連鎖に関与するために、プロダクトの購入後に彼自身のコメントを提供することも希望し得る。ユーザＣは、マーケティングおよび販売連鎖の一部であるため、これは許可され、提供され得る。ユーザＣは、彼のコメントをユーザＡのコンテンツに提供し得、または彼のコメントをユーザＢのコメントに提供し得る。
【００６１】
ここで図３を参照すると、連鎖ハンガーの構造が示される。さらに説明するように、連鎖ハンガーは、コンテンツ登録、製品登録、コンテンツと製品の関連性、親−子関係性、および各特定の実装に必要な他のデータおよび情報に関する情報および／またはポインタを保存し、構造化する、情報保持部である。連鎖ハンガー構造７００は、限定ではなく例示であるが、コンテンツ、オブジェクト、ユーザ、製品、および他のデータおよび情報を識別する識別情報７１０、親コンテンツおよび子コンテンツ内の関係性を特定する親−子関係性情報７２０、コンテンツの登録情報を特定するコンテンツ登録情報７３０、製品に関わる登録情報を特定するプロダクト登録情報７４０、ならびに、コンテンツ、オブジェクト、ユーザ、および製品内の関連性に加えて特定の実装が要求し得る際に必要な他の多くの情報を特定する追加情報７５０、などの部分に分類される。前述の情報は、特定の情報の実際の情報を示すポインタまたは実際の情報のどちらでもあり得る。熟練した開発者は、異なる構造および情報で連鎖ハンガーの各実装を個別的に変更し得、そのような様々な実装は本発明の範囲内である。特定の連鎖ハンガーを実装する方法を、図４に３９０として図示する。
【００６２】
ここで図４を参照すると、システム３００が、本明細書に従うマーケティングおよび商業を可能にするための機能およびツールを提供するために示される。これは、プロダクト登録ツール３２０、コメントツール３４０、商業ツール３６０、コンテンツレポジトリ３８１、ユーザレポジトリ３８２、プロダクトレポジトリ３８３、商業レポジトリ３８４、および中央制御レポジトリ３８５で構成される。
【００６３】
図４に示されるように、破線で示すユーザレポジトリ３８６は、ユーザレポジトリ３８２と同様であり、破線で示すコンテンツレポジトリ３８７はコンテンツレポジトリ３８１と同様であり、破線で示すプロダクトレポジトリ３８８はプロダクトレポジトリ３８３と同様である。１つへの言及は、提供される意味から逸脱することなく、その他へも言及することとして暗示されるべきである。
【００６４】
示されるように、中央制御レポジトリ３８５内で実装されるリストは、本開示の目的のために連鎖ハンガー３９０として定義される。連鎖ハンガー３９０は、コンテンツ特性のリスト３９１およびプロダクトオブジェクトのセット３９２で構成される。プロダクトオブジェクトのセット３９２は、コンテンツが含むのと同じ数のプロダクトオブジェクトで構成される。連鎖ハンガーは、プロダクトオブジェクトをコンテンツによって構造化し、コンテンツ、プロダクト、コンテンツ執筆者、および製品登録を共に関連付けまたは接続する。コンテンツの継承階層は、連鎖ハンガーの使用によって決定され得る。この結果、売り上げ手数料などの活動または事象を、層から層へと実行、追跡または計算し得る。
【００６５】
熟練した開発者は、異なる方法で連鎖ハンガーを実装し得、そのような様々な実装は本発明の範囲内であるべきである。
【００６６】
なお図４を参照すると、コンテンツレポジトリ３８１は、少なくともコンテンツＩＤによりインデックス化される全てのコンテンツを含む。ユーザレポジトリ３８２は、ユーザＩＤ、および他の全ての情報を含むがこれに限定的ではない、ユーザについての全ての情報を含む。プロダクトレポジトリ３８３は、プロダクトオブジェクトについての情報、プロダクトについての情報、コンテンツ内におけるプロダクトオブジェクトの位置についての情報などを含むが、これに限定的ではない、プロダクトについての全ての情報を含む。
【００６７】
商業レポジトリ３８４は、製品、価格、および取引の説明責任などを持つ売主などの、商業目的のために使用される全ての情報を含む。中央制御レポジトリ３８５は、システム３００の動作を制御する全ての方針、アルゴリズム、反応連鎖などを含む。全てのレポジトリは、任意のデータベース技術、ファイルレポジトリ技術、文書管理技術、クラウド技術、大データ技術、または他の任意の利用可能な技術を使用して実装され得、合同または別々に実施され得る。
【００６８】
接続性３０２、３０８、および３１０は、コンピュータ、携帯機器、無線装置などを含むが、これに限定されない、ユーザクライアント装置、または対外向けサーバ３０１、３０７および３０９をシステム３００に接続する。接続性３０６は、製品製造者３０３、製品売主３０４、および製品サービス提供者３０５のシステムをシステム３００に接続する。全ての接続は、インターネット、イントラネット、無線、または他の任意の方法などの、しかしこれに限定的でない、利用可能な接続で実現する。
【００６９】
ここで、プロダクト登録ツール３２０の機能を記載する。コンテンツ容器３２１は、ユーザが特定するコンテンツを組み立てる、クライアントの装置に必要なツールを提供する。組み立ては、ユニフォームリソースリンク（ＵＲＬ）、ユニフォームリソース識別子（ＵＲＩ）などの多くの既存技術、または文書オブジェクトモデル（ＤＯＭ）、階層式スタイルシート（ＣＳＳ）、または他の技術によって実装されるテンプレート構造へのコンテンツの継ぎ合わせによって実施され得る。コンテンツ容器３２１は、領域（またはオブジェクトと呼ばれる）の特定（通常、ハイライト、マーキング、または他の方法による）を促進し、コンテンツ内のオブジェクトの位置をプロダクトオブジェクトとして特定する。
【００７０】
コンテンツ内でオブジェクトを特定することは、ハイライト、マーキング、または自動文脈およびテキスト分析または抽出、またはオブジェクト抽出アルゴリズムまたは方法論またはシステム、またはデータベースシステム、またはエキスパートシステム、特徴抽出を含むが、これに限定されない、他の方法で実装され得る。プロダクトオブジェクトについての情報は、次回コンテンツが再度表示されるときにプロダクトオブジェクトを復元し得るように、ファイルに保存され得る。コンテンツ−プロダクト−オブジェクト再生の復元を支援するコンテンツに特有の情報を加えた情報は、レジデンシャル情報と呼ばれる。コンテンツ容器３２１は、システム３００内のユーザコンテンツを関連付けるまたは組み立てる部品である。必須でなくてもよいが、現在システム３００の実装は、コンテンツ容器３２１を有し、ユーザコンテンツを複製し、将来の使用の便宜のためにコンテンツレポジトリ３８１内に記憶するために、それをシステム３００に送信する。
【００７１】
コンテンツ容器３２１は、コンテンツについての情報をプロダクトビジネスロジックおよび制御協力部３２５に送信し、次に制御協力部３２５は、この情報を情報構造化部および管理部３２３に送信し、コンテンツが以前に登録されたコンテンツであるかどうかを確認する。コンテンツが既に登録されている場合、コンテンツ内に既に登録される全てのプロダクトオブジェクトを復元するために、反対の経路を通してクライアント装置に情報を返送する。さもなければ、ユーザは、ユーザ情報に加えてコンテンツ情報でコンテンツを登録する機会を有し得る。
【００７２】
ユーザは、既存プロダクトオブジェクトの登録を変更、または新規のものを登録し得る。ユーザが新規プロダクトオブジェクトを特定するとき、コンテンツ容器３２１は、特徴、表現する声明、画像、写真、および他のコンテンツオブジェクトまたはコンテンツオブジェクトの一部、プロダクトオブジェクトについてのレジデンシャル情報、ウェブサイトのリンクアドレスなどのコンテンツソースの情報などの、そのプロダクトオブジェクトについての価値情報をコンテンツの複製される複写と共に収集し、その情報を制御協力部３２５に送信する。ユーザ情報、コンテンツ情報、およびプロダクトオブジェクト情報をそれぞれインデックス化、関連付け、対応、および将来容易に発見および検索し得るように、制御協力部３２５は、次に情報構造化部および管理部３２３を操作して構造を構造化し、ユーザ情報保存制御部３２２の制御の下、それらをユーザレポジトリ３８２およびコンテンツレポジトリ３８１に保存する。
【００７３】
コンテンツ容器３２１は、その後ユーザと連動して、製品名、製造者、仕様、モデル、申し立て、売主、サービス提供者などのプロダクト情報を収集する。収集される情報は、制御協力部３２５に返送され、次に制御協力部３２５は、情報構造化部および管理部３２３を操作して情報のいくつかを構造化し、プロダクト信頼性検証部および検査部３２４を操作して製造者、売主およびサービス提供者と連動してそれらの存在、住所、信頼性、補償、返品条件、価格などを検証する。全てに満足のいく検証および検査がなされた後、プロダクトをシステム３００に登録する。プロダクトについての全ての情報を、プロダクトレポジトリ３８３に記録する。連鎖ハンガー３９０を、中央制御レポジトリ３８５内に作成し記録する。
【００７４】
以上に記載するように、連鎖ハンガー３９０は、２つの部分で構成され、第１の部分はコンテンツ特性のリスト３９１であり、第２の部分はプロダクトオブジェクトのセット３９２である。
【００７５】
コンテンツ特性のリスト３９１は、うち一方がコンテンツレポジトリ３８１内のコンテンツソース（複製された複写）を指し示し、もう一方が対外向けシステム内のソースコンテンツを指し示す、２つの基本ポインタをそれ自体が含むコンテンツソースＩＤＳと、現在のコンテンツが言及する、またはそれが派生するようなコンテンツを指し示す親コンテンツＩＤＳと、現在のコンテンツの執筆者が誰であるかを特定する発信元と、そのプロダクトオブジェクトのセットを指し示すプロダクトオブジェクトと、で構成される。
【００７６】
プロダクトオブジェクトのセット３９２は、コンテンツが含むのと同じ数のプロダクトオブジェクトで構成される。各プロダクトオブジェクトは、以下の特性、プロダクトを登録した全ての登録者を特定するプロダクト登録と、コンテンツ内で特定されたプロダクトオブジェクトを復元するための情報を含むレジデンシャル情報と、プロダクト情報を指し示すプロダクトＩＤと、そのプロダクトオブジェクトを特定するプロダクトオブジェクトＩＤと、を含む。
【００７７】
ここで図５を参照すると、コンテンツおよび製品登録８００の工程の一形態が記載される。工程８１０において、ユーザは、どこかのソースから、または利用可能な任意のソフトウェアまたはハードウエアツールによって、それを作成することで、コンテンツの一部を取得する。工程８１５において、ユーザは、利用可能な任意のツールによってコンテンツの任意の部分をオブジェクトとして特定する。工程８２０において、コンテンツが既にシステム内に登録されているかを決定するために確認を行う。コンテンツが既にシステム内に登録されている場合、工程は工程８２５へ進み、そうでない場合、工程８４０へ進む。
【００７８】
工程８２５において、コンテンツに関連する登録情報を保存し、構造化するために、保持部を作成する。そのような保持部は、データベース、記憶装置、任意の種類の記憶装置、ディスク空き容量、ファイル、およびそれらにプログラムを実行することで復元可能な構造化および非構造化情報および関係性を保持し得るもの、の形態で実装され得る。ステップ８３０において、必須情報は、コンテンツ、オブジェクト、製品、登録および他のデータおよび情報を保持部に特定し、関連付けるために指定され、システムにコンテンツを登録する。次に、工程はステップ８４５に進む。
【００７９】
ステップ８４０において、コンテンツが既に登録されている場合、全ての登録情報を、ユーザおよびコンテンツ情報などの情報を使用して読み出す。次に、工程はステップ８５０に進む。
【００８０】
ステップ８４５において、コンテンツが以前に登録されていない場合、特にユーザがコンテンツを作成したばかりの場合、コンテンツが他のコンテンツによって関連、言及、言い換えれば派生しているかを次に特定する。工程の特定の実装に関連し得る他の予想されるデータおよび情報と共に、親−子コンテンツ関係性をこの工程で記録する。次に、工程はステップ８５０に進む。
【００８１】
ステップ８５０において、オブジェクトに関連付けられるようにユーザにより特定される製品が登録されているか確認する。それが登録されている場合、次に先ほど登録されたコンテンツと製品を関連付ける。さもなければ、ステップ８５５に進み、製品登録のための保持部を作成する。この場合もやはり、保持部は上記に記載した特徴と同様の特徴を有する。ステップ８６０において、特定の一実装から別の実装へ特定するように、製品についての全ての情報、例えば、製品製造者、製品仕様、および他の情報を収集する。他のデータおよび情報と共に、その情報を製品登録保持部に指定する。
【００８２】
ステップ８６５において、プロダクト登録はコンテンツと関連付けられる。コンテンツに現れるオブジェクトが、それに関連付けられる多くの異なるプロダクトを有し得ることが観察され得る。確かに、プロダクトもまた、１つのコンテンツ内または異なるコンテンツ内の多くの異なるオブジェクトと関連付けられ得る。
【００８３】
ステップ８７０において、プロダクト信頼性の検証および検査工程を開始する。プロダクトがプロダクト信頼性を検証および検査され、既に無事登録されている場合、ステップ８７０は冗長性を回避するために利用可能な更新があるかどうかを確認し、それに応じて対応する情報を構成することが留意される。ステップ８７５において、プロダクト信頼性の検証および検査工程の完了後、プロダクトに関連する情報をシステム内で更新する。ステップ８８０において、コンテンツおよびプロダクト登録工程が完了する。
【００８４】
ここで図６を参照すると、コンテンツおよび製品登録４００の方法の別の形態がここで記載され、この方法は連鎖ハンガーを使用してコンテンツおよび製品登録工程を実装する。工程４１０において、ユーザは、従ってウェブサイト、ウェブログ、ＸＭＬ、ＨＴＭＬ、任意の電子文書などのソースからコンテンツを取得する、または他のコンテンツに言及して、またはしないで、単に新規のコンテンツを作成する。ステップ４１５において、ユーザは、特徴（複数可）、声明（複数可）、段落、写真、画像、または写真または画像の一部、またはこれらの任意の組み合わせであり得る、コンテンツ内のオブジェクトを、オブジェクトのハイライト、オブジェクトのマーキング、または他の「特定」方法によって、特定する。
【００８５】
ステップ４２０において、コンテンツがシステム内に既に登録されているかどうかを解明するために、確認を行う。コンテンツがシステム内に既に登録されている場合、工程はステップ４２５に進み、さもなければ、ステップ４３５に進む。
【００８６】
ステップ４２５において、ユーザおよびコンテンツに関連する新規の連鎖ハンガーを作成する。ステップ４３０において、元のコンテンツおよびコンテンツの複製された複写を元の位置で指し示す、固有のコンテンツソースＩＤＳが生成する。工程はこの後ステップ４４０に進む。
【００８７】
ステップ４３５において、ユーザ情報およびコンテンツ情報を使用して、既存および対応する連鎖ハンガーを読み出す。工程はこの後ステップ４５０に進む。
【００８８】
ステップ４４０において、新規作成されたコンテンツに対して親コンテンツがある場合、連鎖ハンガーの親コンテンツＩＤＳにその後親コンテンツの全てのコンテンツソースＩＤＳを指定し、さもなければ、連鎖ハンガーの親コンテンツＩＤＳにＮＵＬＬを指定する。ステップ４４５において、連鎖ハンガーの発信元にコンテンツの執筆者を記録する。発信元は、ユーザ、またはユーザが代理人を務める人、または複数のユーザであり得る。
【００８９】
ステップ４５０において、ユーザが特定するプロダクトオブジェクトが既に登録されているかどうかに関して決定を行う。それが既に登録されていない場合（それはコンテンツ内のユーザが特定する新規のプロダクトオブジェクトである）、工程はその後ステップ４５５に進み、さもなければ工程はその後ステップ４６５に進む。
【００９０】
ステップ４５５において、連鎖ハンガーのプロダクトオブジェクトのセットから、空のプロダクトオブジェクトリストを取得する。ステップ４６０において、固有のプロダクトオブジェクトＩＤを指定し、連鎖ハンガーのコンテンツ特性のリストのプロダクトオブジェクト内に新規のプロダクトオブジェクトＩＤを含める。ユーザが特定するプロダクトを指し示す、固有のプロダクトＩＤを指定する。ステップ４６５において、必要に応じて連鎖ハンガー内の他の全ての情報を指定または更新する。
【００９１】
ステップ４７０において、プロダクト信頼性の検証および検査工程を開始する。ステップ４７５において、プロダクト信頼性の検証および検査工程の完了後、システム内のプロダクトに関連する情報を更新する。ステップ４８０において、製品登録工程を完了する。
【００９２】
再度図４を参照すると、コメントツール３４０の機能が記載される。コメントノートブック３４１は、特定のコンテンツに対して、ユーザがコメントを提供するのを可能にするために必要なツールを提供する。ユーザは、多くの既存ツールを使用して彼または彼女のコメントを提供し得るものの、それらのツールは、統合工程を行わない限り、コメントとシステム３００との間の相互作用を提供しない。コメントノートブック３４１は、システム３００との統合を許す任意の技術によって実行し得る。
【００９３】
コメントビジネスロジックおよび制御協力部３４５を通して、コメントユーザ管理部３４２は、コメントノートブック３４１からのコメントが、対応するユーザと合わせて適切に登録およびインデックス化されることを確保する。コメントコンテンツ管理部３４３は、ユーザとの適切な関係性が確立された状態で、コンテンツレポジトリ３８１内にコメントを保存することを確保する。理解され得るように、コメントもシステム内のコンテンツとなる。プロダクトオブジェクトマッピング管理部３４４は、コメントコンテンツ管理部３４３およびコメントビジネスロジックおよび制御協力部３４５と連動して、コメントコンテンツと、その親コンテンツのコンテンツまたはその親コンテンツのプロダクトオブジェクトとの間の相関関係の検出を行い、自動的にコンテンツのプロダクトオブジェクトをコメントにマッピングし、コメントの新規の連鎖反応を作成し、この連鎖反応を中央制御レポジトリ３８５に保存する。これらを考慮すると、プロダクトオブジェクトマッピング管理部３４４および連鎖反応は、本明細書に開示されるシステムの重要な要素を構成する。マッピングは、コメントコンテンツと、その親コンテンツのコンテンツとの、またはその親コンテンツのプロダクトオブジェクトとの、相関関係毎に発生する。
【００９４】
ここで図７を参照すると、連鎖反応マーケティングおよび販売９００の工程の一形態が示される。ステップ９１０において、ユーザは、親コンテンツと呼ばれ、登録されるプロダクトオブジェクト（複数可）を含む、どこかのソースから、コンテンツを取得する。ステップ９１５において、ユーザは、コンテンツに関連するコメントを生成し、コメントは親コンテンツと関連付けられる。工程９２０において、子コンテンツと呼ばれるコメントのコンテンツを、親コンテンツまたは親コンテンツの登録情報に対してマッピングし、ステップ９２５内のコンテンツ内のオブジェクトの相関関係および／または一致を追及する。相関関係および／または一致がない場合、コメントは、製品マーケティングおよび販売の連鎖反応を開始せず、工程はさらなる行動なく終了する。一致がある場合、ステップ９３０において、コメントおよびユーザであるコメント作成者のために新規のコンテンツ登録を作成する。ステップ９４０において、相関関係を示すまたは一致するプロダクトオブジェクトを、親コンテンツ登録情報から選択し、工程９４５において、子コンテンツ内のオブジェクト、すなわち親コンテンツ登録情報からのプロダクトオブジェクト内のプロダクトによるコメント、を特定する。ステップ９５０において、オブジェクトおよびプロダクトを、特定の実装に必要であり得る他のデータおよび情報と共に、子コンテンツの新規の登録情報と関連付ける。ステップ９５５において、特定の実装に必要であり得る他のデータおよび情報と共に、親−子コンテンツ関係性を使用して、子コンテンツの登録情報を更新する。ステップ９６０は、工程が完了するまで、上記に記載される工程を使用して、プロダクトオブジェクトの全ての相関関係および／または一致を扱うかどうかを決定する。そのような相関関係および／または一致が存在するかどうかの決定は、テキストマッチング、ファジーマッチング、パターン認識、音声／会話処理および認識、コンテンツ理解、文脈認識、データ／テキスト／オブジェクトマイニングなどの、しかしこれに限定されない、多くの既存技術を使用することによって行い得る。
【００９５】
ここで図８を参照すると、連鎖ハンガーを用いて、連鎖反応マーケティングおよび販売の工程を実装する、連鎖反応マーケティングおよび販売の方法の別の形態が示される。ステップ５１０において、ユーザは、登録されるプロダクトオブジェクトを含む、ウェブサイト、ウェブログ、ＸＭＬ、ＨＴＭＬ、他の電子文書などのどこかから、コンテンツを取得する。
【００９６】
ステップ５１５において、コンテンツの連鎖ハンガーからコンテンツソースＩＤＳを読み出す。コンテンツソースＩＤＳは、コンテンツに移動されるコメントの新規の連鎖ハンガーの親コンテンツＩＤＳとして機能する。
【００９７】
ステップ５２０において、コメントの完了後、またはコメントの過程において、コメントと親コンテンツまたは親コンテンツの連鎖ハンガー内のプロダクトオブジェクトとの間に相関関係があるかどうかを検証するための確認を行う。ステップ５２５において、一致がある場合、ステップ５３０に進み、さもなければ、ステップ５６５に進む。
【００９８】
ステップ５３０において、新規の連鎖ハンガーを作成し、コメント作成者およびコメントと関連付ける。工程５３５において、以上に記載するように、新規の連鎖ハンガーのコンテンツ特性のリストを適切な情報で更新する。
【００９９】
ステップ５４０において、親連鎖ハンガーのプロダクトオブジェクトのセットから、一致を選択する。ステップ５４５において、一致するプロダクトオブジェクトをコメント内で特定する。この「相関関係」または「一致」は、特定され総称である。そのような相関関係または一致が存在するかどうかの決定は、テキストマッチング、ファジーマッチング、パターン認識、音声／会話処理および認識、コンテンツ理解、文脈認識、データ／テキスト／オブジェクトマイニングなど、またはこれらの組み合わせを含むが、これに限定されなく、多くの技術を使用することによって行われ得る。熟練した技術者は、相関関係およびマッチングに異なるアルゴリズムを実装し得、そのような様々な実装は本発明の範囲内であるべきである。
【０１００】
ステップ５５０において、新規の連鎖ハンガーのプロダクトオブジェクトのセットの空のプロダクトオブジェクトリストを取得する。ステップ５５５において、プロダクトオブジェクトリストおよび新規の連鎖ハンガーの残りの部分内の全ての要素を更新する。
【０１０１】
ステップ５６０において、これ以上の一致がある場合、ステップ５４０に進み、さもなければ、ステップ５６５に進む。ステップ５６５において、連鎖反応マーケティングおよび販売工程を完了する。
【０１０２】
再度図４を参照すると、商業ツール３６０の機能がここで記載される。商業電子取引店舗３６１は、ユーザがコンテンツ内からプロダクトを購入するためのツールを提供する。コンテンツ内のプロダクトオブジェクトにこのツールが適用されると、商業電子取引店舗３６１は、プロダクトオブジェクトについての情報、コンテンツ、およびユーザ情報を商業ビジネスロジックおよび制御協力部３６５に供給する。商業ビジネスロジックおよび制御協力部３６５は、商業プロダクト管理部３６２を操作して、ユーザが何をどこで注文するかを決定するために必要な全ての情報を取り出す。プロダクト情報は、商業電子取引店舗３６１を介してユーザに供給される。この情報に従って、ユーザはプロダクトを購入する。
【０１０３】
取引の完了後、商業ビジネスロジックおよび制御協力部３６５は、商業説明責任構築部３６３を操作して、取引の説明責任を記録し、後活動管理部３６４を操作して、手数料計算、クーポンの配布、返金計算、および特定の実装が興味を有し得る他の活動などの後活動を行う。商業説明責任構築部３６３および後活動管理部３６４の両方は、商業レポジトリ３８４と連動する。
【０１０４】
ここで図９を参照すると、どこかで商業を行うための工程が記載される。ステップ６１０において、ユーザは、登録されるプロダクトオブジェクトを含む、ウェブサイト、ウェブログ、ＸＭＬ、ＨＴＭＬ、他の電子文書などの、しかしこれに限定されない、どこかから、コンテンツを取得する。ステップ６１５において、ユーザは、ユーザが購入を希望するプロダクトを含むコンテンツからのプロダクトオブジェクトを特定する。ステップ６２０において、ユーザ、コンテンツ、およびプロダクトオブジェクトについての情報を処理する。ステップ６２５において、プロダクトの購入に関する全ての情報を読み出す。
【０１０５】
ステップ６３０に置いて、ユーザは購入決定をし、購入トランザクションを完了する。ステップ６３５においては、追跡、後活動、報告および他の可能な目的に対するすべての責任情報を記録する。ステップ６４０では、商売プロセスを完了する。
【０１０６】
要約すると、コンテンツ集合Ｃからのコンテンツｃｉがあり、すなわち、ｃｉ∈Ｃであり、ここで、Ｃ＝｛ｃ１、ｃ２、．．．、ｃｉ、．．．｝である。ｃｉ→ｃｉｄ・→ｃｉ本来のコンテンツ、ｃｉ→ＣＩＤＳｐ・→無し、または１つ、または複数の親コンテンツ、ここでＣＩＤＳＰ＝｛ｃｉｄ１、ｃｉｄ２、ｃｉｄｉ．．．｝、ｃｉ→ＯＩＤＳ・→少なくとも１名の執筆者、ＯＩＤＳ＝｛ｏｉｄ１、ｏｉｄ２、ｏｉｄｉ．．．｝、ｃｉ→ＰＯＳ、登録のものと、少なくとも同じ数のプロダクトオブジェクトがあり、ここでＰＯＳ＝｛ｐｏ１、ｐｏ２、ｐｏｉ．．．｝である。
【０１０７】
各ｐｏｊに対して、ｃｉ→ＰＯＳ・ｐｏｊ→ｐｏｉｄ・→固有なプロダクトオブジェクト、ｃｉ→ＰＯＳ・ｐｏｊ→ｒｉｎｆｏ・→プロダクトオブジェクトｐｏｊをｃｉの中に一意的に特定するレジデンシャル情報、ｃｉ→ＰＯＳ・ｐｏｊ→ｐｉｄ・→ｐｏｊに関連するプロダクト；ｃｉ→ＰＯＳ・ｐｏｊ→ＲＩＤＳ・→少なくとも１つのプロダクト登録者であり、ＲＩＤＳ＝｛ｒｉｄ１、ｒｉｄ２、ｒｉｄｉ．．．｝。
プロセスおよびアルゴリズム。
ステップ１：Ｃの中でｃを検索し、Ｃ＝｛ｃ１、ｃ２、．．．、ｃｉ．．．｝である。
ステップ２：Ｃの中にｃｉがあって、ｃ＝ｃｉの場合、ステップ４に行くが、それ以外の場合はステップ３に行く。
ステップ３：ｃを作成し、以下の特性をｃに与える。
ｃ→ｃｉｄ＝固有なｃｉｄとし、ｃ→ｃｉｄ・→｜ｃ｜とする。
参照ｃｉが無い場合、ｃ→ＣＩＤＳｐ＝ＥＭＰＴＹとする。
ｃ→ＣＩＤＳｐ＝すべての参照ｃｉ∈Ｃを指す、すべてのｃｉｄとする。
ｃ→ＯＩＤＳ＝ｃを作成した少なくとも１人の執筆者を指す、すべてのｏｉｄ（少なくとも１つのｏｉｄがある）とする。
ステップ４：ｃの中にプロダクトオブジェクトを確立するには、ステップ７に行くが、それ以外の場合は、ステップ５に行く。
ステップ５：ｃについてコメントを残すにはステップ１２に行くが、それ以外の場合は、ステップ６に行く。
ステップ６：ｃ上でプロダクトを購入するにはステップ１５に行くが、それ以外の場合は、ステップＥＮＤに行く。
ステップ７：プロダクトオブジェクトｐｏを指定し、ｐｏ  ∃¬  ＰＯＳ（ｐｏは集合ＰＯＳに無い）。
ｃ→ＰＯＳ・ｐｏ→ｐｏｉｄ＝特有なプロダクトオブジェクトＩＤとする。
ｃ→ＰＯＳ・ｐｏ→ｒｉｎｆｏ＝ｃの中にプロダクトオブジェクトｐｏを特有に位置するレジデンシャル情報とする。
ｃ→ＰＯＳ・ｐｏ→ＲＩＤＳ＝少なくとも１つのプロダクト登録者で、ＲＩＤＳ＝｛ｒｉｄ１、ｒｉｄ２、ｒｉｄｉ．．．｝とする。
ステップ８：プロダクトが既にシステムの中にある場合。
ｃ→ＰＯＳ・ｐｏ→ｐｉｄ＝プロダクトＩＤの場合、ステップＥＮＤに行くが、それ以外の場合は、ステップ９に行く。
ステップ９：プロダクトについて情報を提供し、プロダクト信頼性プロセスを開始。
ステップ１０：プロダクト信頼性プロセスが終了後、結果が成功な場合、
ｃ→ＰＯＳ・ｐｏ→ｐｉｄ＝プロダクトＩＤが新たに作成されたとし、ステップＥＮＤに行く。
それ以外の場合はステップ１１に行く。
ステップ１１：失敗のことをプロダクトオブジェクト登録者に知らせ、
ｃ→ＰＯＳ・ｐｏ→ｐｉｄ＝ＮＵＬＬとし、ステップＥＮＤに行く。
ステップ１２：ｃｊを作成し、以下の特性をｃｊに与える。
ｃｊ→ｃｉｄ＝特有なｃｉｄを与え、ｃｊ→ｃｉｄ・→｜ｃｊ｜とする。
ｃｊ→ＣＩＤＳｐ＝ｃ→ｃｉｄ  ∪  ＣＩＤＳＰとする。
ｃｊ→ＯＩＤＳ＝ｃｊを作成した少なくとも１人の執筆者を指す、少なくとも１つのｏｉｄとする。
ステップ１３：ｉ＝０とする。
ＦＯＲ  ｋ＝１  ＴＯ  ｜｜ｃ→ＰＯＳ｜｜
ｃｊがｃ→ＰＯＳ・ｐｏｋ内のプロダクトオブジェクトと一致する毎に、
ｉ＝ｉ＋１。
ｃｊ→ＰＯＳ・ｐｏｉ→ｐｏｉｄ＝ｃ→ＰＯＳ・ｐｏｋ→ｐｏｉｄとする。
ｃｊ→ＰＯＳ・ｐｏｉ→ｒｉｎｆｏ＝ｐｏｉをｃｊ内で一意的に特定するレジデンシャル情報とする。
ｃｊ→ＰＯＳ・ｐｏｉ→ＲＩＤＳ＝少なくとも１つのプロダクト登録者とする。
ｃｊ→ＰＯＳ・ｐｏｉ→ｐｉｄ＝ｃ→ＰＯＳ・ｐｏｋ→ｐｉｄとする。
ステップ１４：ＥＮＤに行く。
ステップ１５：１つのｐｏｉをｃ→ＰＯＳから選択する。
ステップ１６：プロダクトについてすべての情報を処理し表示する。
ステップ  １７：購入決定をし、トランザクションを完了。
ステップ  １８：すべての責任を、将来的な追跡、後活動、報告および他に可能な目的で記録する。
ＥＮＤ。
【０１０８】
理解可能なように、本発明はシステム、方法、またはコンピュータプログラム製品として具現化することができる。本発明は、ハードウェアの実施形態、ソフトウェアの実施形態、またはソフトウェアとハードウェアの組み合わせの形態にしてもよい。さらに、本発明は媒体内に具現化されたコンピュータ使用可能なプログラムコードを有する、いかなる表現の有形記憶装置でも具現化されたコンピュータプログラム製品の形態にしてもよい。コンピュータ使用可能またはコンピュータ可読媒体は、命令実行システム、装置、またはデバイスに使用されるか、または接続される、含む、保存するまたは通信することができる、いかなる媒体としてもよい。コンピュータ使用可能またはコンピュータ可読媒体は、例えば、電子、磁気、光学、電磁気、赤外線、または半導体のシステム、装置、またはデバイスとしてもよい。
【０１０９】
本明細書に開示されるシステム及び方法の様々な態様を実装するための例示的な環境はコンピュータを含む。コンピュータは、処理装置（ＣＰＵ）、システム記憶装置、およびシステムバスを含む。システムバスはシステムコンポーネントを結合し、処理ユニットにシステム記憶装置を結合することを含むがそれに限定されない。処理ユニットは、様々な利用可能なプロセッサのいずれかとしてもよい。デュアルマイクロプロセッサおよび他のマルチプロセッサアーキテクチャも、処理ユニットとして使用可能である。当然、複数のコンピュータは、本明細書に開示されるシステムおよび方法において利用可能である。
【０１１０】
システムバスは、多数の種類のバス構造であってもよく、記憶装置バスまたは記憶装置コントローラ、周辺機器バスまたは外部バス、および／または利用可能なバスアーキテクチャの任意の種類を使用するローカルバスを含み、そのアーキテクチャは１５−ビットバス、業界標準アーキテクチャ（ＩＳＡ）、マイクロチャネルアーキテクチャ（ＭＳＡ）、拡張ＩＳＡ（ＥＩＳＡ）、インテリジェントドライブエレクトロニクス（ＩＤＥ）、ＶＥＳＡローカルバス（ＶＬＢ）、周辺コンポーネント相互接続（ＰＣＩ）、ユニバーサルシリアルバス（ＵＳＢ）、アドバンストグラフィックスポート（ＡＧＰ）、パーソナルコンピュータメモリカード国際協会バス（ＰＣＭＣＩＡ）、および小型コンピュータシステムインターフェース（ＳＣＳＩ）を含が、それらに限定されない。
【０１１１】
システム記憶装置は、揮発性記憶装置および不揮発性記憶装置を含む。起動時などにコンピュータ内の要素間で情報を転送する基本ルーチンを含む基本入力／出力システム（ＢＩＯＳ）は不揮発性記憶装置に保存されている。限定ではなく例として、不揮発性記憶装置は読み出し専用記憶装置（ＲＯＭ）、プログラマブルＲＯＭ（ＰＲＯＭ）、電気的プログラマブルＲＯＭ（ＥＰＲＯＭ）、電気的消去可能ＲＯＭ（ＥＥＰＲＯＭ）、またはフラッシュ記憶装置を含み得る。揮発性記憶装置は、外部キャッシュ記憶装置として動作するランダムアクセスメモリ（ＲＡＭ）を含む。限定ではなく例として、ＲＡＭは、同期ＲＡＭ（ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ  ＳＤＲＡＭ）、拡張ＳＤＲＡＭ（ＥＳＤＲＡＭ）、Ｓｙｎｃｈｌｉｎｋ  ＤＲＡＭ（ＳＬＤＲＡＭ）、およびダイレクトラムバスＲＡＭ（ＤＲＲＡＭ）などの多くの形態として利用可能である。
【０１１２】
本明細書に開示される方法およびシステムの実装に有用なコンピュータもまた、リムーバブル／非リムーバブル、揮発性／不揮発性のコンピュータ可読記憶媒体、例えば、ディスクストレージを含む。ディスク記憶装置は、磁気ディスクドライブ、フロッピーディスクドライブ、テープドライブ、Ｊａｚドライブ、Ｚｉｐドライブ、ＬＳ−１００ドライブ、フラッシュメモリカード、またはメモリスティックなどのデバイスを含むがそれらに限定されない。さらに、ディスク記憶装置は、別々に、または他の記憶媒体と組み合わせて記憶媒体を含み得、コンパクトディスクＲＯＭデバイス（ＣＤ−ＲＯＭ）、ＣＤ記録可能ドライブ（ＣＤ−Ｒドライブ）、ＣＤリライタブルドライブ（ＣＤ−ＲＷドライブ）、またはデジタル多用途ディスクＲＯＭドライブ（ＤＶＤ−ＲＯＭ）などの光ディスクドライブを含むがそれらに限定されない。ディスク記憶装置のシステムバスへの接続を容易にするために、リムーバブルまたは非リムーバブルなインターフェースは、通常、インターフェースとして使用される。
【０１１３】
ソフトウェアがユーザと本明細書に記載の基本的なコンピュータリソースとの間の仲介として動作するように意図されていることを理解されたい。そういったソフトウェアは、オペレーティングシステムを含む。このようなオペレーティングシステムは、ディスク記憶装置に保存可能であり、コンピュータシステムのリソースを制御し割り振るように作用する。システムアプリケーションは、システム記憶装置内またはディスク記憶装置のいずれかに保存されたプログラムモジュールおよびプログラムデータを介してオペレーティングシステムによってリソースの管理を利用する。本発明は、様々なオペレーティングシステムまたはオペレーティングシステムの組合せで実装できることを理解されたい。
【０１１４】
ユーザは、入力デバイスを介してコンピュータに命令または情報を入力する。入力デバイスは、マウス、トラックボール、スタイラス、タッチパッド、キーボード、マイクロフォン、ジョイスティック、ゲームパッド、サテライトディッシュ、スキャナ、ＴＶチューナカード、デジタルカメラ、デジタルビデオカメラ、ウェブカメラなどなどのポインティングデバイスを含むが、これらに限定されない。これらおよび他の入力装置は、インターフェースポートを介してシステムバスを通して処理ユニットに接続する。インターフェースポートは、例えば、シリアルポート、パラレルポート、ゲームポート、およびユニバーサルシリアルバス（ＵＳＢ）を含む。出力デバイスは、入力デバイスと同じ種類のポートの一部を使用する。したがって、例えば、ＵＳＢポートはコンピュータへ入力を提供し、出力デバイスへ、コンピュータから情報を出力するために使用可能である。特別なアダプタを必要とする他の出力装置のうちモニタ、スピーカ、およびプリンタなどの出力装置に出力アダプタを提供してもよい。出力アダプタは、限定ではなく例として、出力デバイスとシステムバスとの間の接続の手段を提供するビデオおよびサウンドカードを含む。他のデバイスおよび／またはデバイスのシステムは、リモートコンピュータなどの入力および出力機能の両方を提供することに留意すべきである。
【０１１５】
システムコンピュータは、１つ以上のリモートコンピュータ、例えばリモートコンピュータへの論理接続を使用するネットワーク環境で動作することができる。リモートコンピュータは、パーソナルコンピュータ、サーバ、ルータ、ネットワークＰＣ、ワークステーション、マイクロプロセッサベースの機器、ピアデバイスまたは他の共通ネットワークノードなどであってもよく、典型的にコンピュータに対して記載された要素の多くまたはすべてを含む。リモートコンピュータは、論理的にネットワークインターフェースを介してシステム・コンピュータに接続した後、物理的に通信接続を介して接続してもよい。ネットワークインターフェースは、ローカルエリアネットワーク（ＬＡＮ）およびワイドエリアネットワーク（ＷＡＮ）などの通信ネットワークを包含する。ＬＡＮ技術は、光ファイバー分散データインターフェース（ＦＤＤＩ）、銅線分散データインターフェース（ＣＤＤＩ）、イーサネット／ＩＥＥＥ、トークンリング／ＩＥＥＥ等を含む。ＷＡＮ技術は、ポイントツーポイント接続、統合サービスデジタル通信網（ＩＳＤＮ）およびそれに基づいた変形、パケット交換ネットワーク、およびデジタル加入者回線（ＤＳＬ）のような回線交換ネットワークを含むが、これらに限定されない。
【０１１６】
通信接続は、ネットワークインターフェースをバスに接続するために用いられるハードウェア／ソフトウェアを含む。ネットワークインターフェースへの接続に必要なハードウェア／ソフトウェアは、例示の目的にのみ、内部および外部技術、通常の電話グレードのモデム、ケーブルモデムおよびＤＳＬモデムなどのモデム、ＩＳＤＮアダプタ、およびイーサネットカードを含む。
【０１１７】
本発明の機能性はＪＡＶＡ、ＸＭＬまたは、いかなる他の適切なプログラミング言語でも用いて実装することができることを理解されたい。本発明は、現在既存のプログラミング言語より進化するか、またはモデル化される、いかなる類似の適切な言語を用いて実装してもよい。さらに、本明細書に開示されるシステムおよび方法は、単独のアプリケーションとして、ウェブページに埋め込まれたアプレットとして、または任意の他の適切な手段により、実装することができる。
【０１１８】
さらに、当業者は、本発明を単独のコンピュータネットワーク、または歌詞をカスタマイズするための情報を送信する、他の手段と組み合わせて実施可能であり、キオスク、ファクシミリまたは電子メールの提出及び音声電話ネットワークを含むがそれらに限定されないことを理解するであろう。さらに、本発明は、コンピュータネットワークの一部とした形よりも単一のスタンドアロンコンピュータ上で上述した機能性の全てを提供することによって実装してもよい。
【０１１９】
本明細書に開示されるシステムは、１つ以上のクライアントを含み得る。クライアントは、ハードウェアおよび／またはソフトウェア（例えば、スレッド、プロセス、コンピューティングデバイス）であってもよい。また、システムは１つ以上のサーバを含み得る。サーバも、ハードウェアおよび／またはソフトウェア（例えば、スレッド、プロセス、コンピューティングデバイス）であってもよい。クライアントとサーバとの間で１つの可能な通信は、２つ以上のコンピュータプロセス間で伝送するように適合されたデータパケットの形であってもよい。システムは、クライアントとサーバ間の通信を容易にするために使用することができる通信フレームワークを含んでいてもよい。クライアントは、クライアントにローカルな情報を保存するために使用可能な１つ以上のクライアントデータストアに、動作可能に接続可能である。同様に、サーバは、サーバにローカルな情報を保存するために使用可能な１つ以上のサーバデータストアに動作可能に接続可能である。
【０１２０】
他の形態において、本発明は、加入、広告、または料金ベースで、本発明のステップを実行するビジネス方法を提供する。つまり、サービスプロバイダは、例えば、製品登録または連鎖反応マーケティングとして、本明細書に記載の方法を実行するように申し出をし得る。この場合、サービスプロバイダは、１つ以上の顧客のために本発明のプロセスステップを実行するコンピュータインフラストラクチャを作成、保守、導入、サポートなどをすることができる。その見返りとして、サービスプロバイダは、加入または料金契約に基づいて顧客から支払いを受け取ることができ、および／またはサービスプロバイダは、１つ以上の第三者への広告コンテンツ販売から支払いを受け取ることができる。さらなる実施形態において、クライアント上のサーバおよびソフトウェア／アプリケーションは、受益者または独立した提供者によって無料または有料で設計、管理されてもよい。
【０１２１】
本開示において、いくつかの例示的かつ非排他的な実施例はフロー図またはフローチャートの枠組みで説明および／または表示し、その方法は一連のブロックまたはステップとして示して説明する。具体的に付属の説明に記載されない限り、ブロックの順序は、２つ以上のブロック（またはステップ）が異なる順序もしくは同時に起こることを含めて、フロー図で図示の順序と異なる場合があることは本開示の範囲内である。ブロックまたはステップは、論理として実装可能であり、そのブロックまたはステップを論理として実施すると記載してもよいことも、本開示の範囲内である。いくつかの用途では、ブロックまたはステップが、機能的に同等する回路または他の論理デバイスが実行する論理式および／または行為を表し得る。図示されたブロックは、コンピュータ、プロセッサ、および／または他の論理デバイスに反応し、行為を行い、状態を変更し、出力もしくは表示をし、および/または決定をするようにさせる実行可能な命令を表し得るが、必須なことではない。
【０１２２】
本明細書で使用するように、第１のエンティティと第２のエンティティの間に置かれた用語「および／または」は、（１）第１のエンティティ、（２）第２のエンティティ、および（３）第１のエンティティならびに第２のエンティティのうちの１つを意味する。「および／または」と共に列挙する複数のエンティティは、同様に解釈されるべきであり、すなわち、そのように結合されたエンティティの「１つ以上」である。他のエンティティは、「および／または」節によって具体的に特定されたエンティティ以外、これらの具体的に特定されたエンティティに関連するか、関連しないかを問わず、必要に応じて存在してもよい。したがって、非限定的な例として、「Ａおよび／またはＢ」という記述は、「含む」などのオープンエンドの言葉とともに使用される場合、実施形態では、Ａのみを指し（Ｂ以外のエンティティを任意に含み）、別の実施形態では、Ｂのみを指し（Ａ以外のエンティティを任意に含み）、さらに別の実施形態では、ＡとＢの両方を指してもよい（他のエンティティを任意に含む）。これらのエンティティは、要素、行為、構造体、ステップ、動作、数値などを指し得る。
【０１２３】
本明細書で使用されるように、語句「少なくとも１つ」とは、１つ以上のエンティティのリストを参照する場合、エンティティのリスト内のエンティティのいずれか１つ以上から選択される少なくとも１つのエンティティを意味すると理解するべきであるが、但し具体的にエンティティのリスト内に列挙された各エンティティのうちの少なくとも１つを必ずしも含む訳ではなく、またエンティティのリスト内のエンティティの任意の組み合わせを除外しない。この定義では、「少なくとも１つ」の節が参照するエンティティのリスト内の具体的に特定されたエンティティ以外のエンティティは、これら具体的に特定されたエンティティに関連するか、関連しないかを問わず、必要に応じて存在してもよい。したがって、非限定的な例として、「ＡおよびＢの少なくとも１つ」（または、同等する「ＡまたはＢの少なくとも１つ」）とは、一実施形態では少なくとも１つのＡ、また任意に１つを超える数のＡを、Ｂが存在せず（さらに任意にＢ以外のエンティティを含み）含むことを、別の実施形態では、少なくとも１つのＢ、また任意に１つを超える数のＢを、Ａが存在せず（さらに任意にＡ以外のエンティティを含み）含むことを、さらに別の実施形態では、少なくとも１つ（任意選択的に１つを超える数）のＡ、および少なくとも１つ（任意選択的に１つを超える数）のＢを（任意に他のエンティティを含み）含むことを指し得る。すなわち、語句「少なくとも１つ」、「１つ以上」、および「および／または」は、機能的に連言と離接の両方となるオープンエンド語句である。例えば、各語句「Ａ、ＢおよびＣの少なくとも１つ」、「Ａ、ＢまたはＣの少なくとも１つ」、「Ａ、ＢおよびＣの１つ以上」、「Ａ、ＢまたはＣの１つ以上」および「Ａ、Ｂおよび／またはＣ」は、Ａのみ、Ｂのみ、Ｃのみ、ＡとともにＢ、ＡとともにＣ、ＢとともにＣ、ＡとＢとＣ、および任意に上記のいずれかと少なくとも１つの他のエンティティとの組み合わせを意味し得る。
【０１２４】
任意の特許、特許出願、または他の参考文献は、参照により本明細書に組み込まれ、用語定義において、または別の方法で、本開示の組み込まれていない部分または他の組み込まれた参考文献と矛盾を生じる場合、本開示の組み込まれていない部分を優先するものとし、該用語またはそれを含む組み込まれた開示は、その用語が定義された参考文献および／またはもともと存在した組み込まれた開示のみに対して優先するものとする。
【０１２５】
本明細書で使用されるように、用語「適合した」および「構成した」とは、要素、部品、または他のものが所定の機能を実行するように設計されおよび／または意図されている。したがって、用語「適合した」および「構成した」は、ある要素、部品、または他のものが単に所定の機能を実行可能な「能力」を持つだけと捉えるべきではなく、むしろその要素、部品、または他のものが、その機能を実行するために、特定に選択、作成、実装、活用、プログラム、および／または設計されたと捉えるべきである。また、具体的な機能を実行するように適合されたと記載の要素、部品、および／または他の記載されたものが、追加として、または代替として、その機能を実行するように構成されたと記載され得、その逆も可能である。
【０１２６】
本開示に係るシステムおよび方法の例示的かつ非排他的な実施例としては、以下に列挙した段落に記載する。本明細書に記載の方法の個別のステップは、以下の列挙された段落を含めて、追加としてまたは代替として、記載の行為を実行する「ためのステップ」と記載し得ることは、本開示の範囲内である。
【０１２７】
Ａ１．（ａ）コンテンツを作成する、またはソースからコンテンツを取得するステップと、（ｂ）コンテンツ内のオブジェクトを指定するステップと、（ｃ）プロダクトを指定し、オブジェクトにプロダクトを関連付け、プロダクトオブジェクトを形成するステップとを含む、マーケティングおよび／または商業用のオンラインシステムに使用するためのコンテンツにプロダクトを関連付けるプロセス。
【０１２８】
Ａ２．（ｄ）少なくとも１つの要素への少なくとも１つのポインタ、または少なくとも１つの要素に関係する情報を含む少なくとも１つの保持部を確立することであって、該少なくとも１つの要素はコンテンツ、ユーザ、オブジェクト、またはその他のデータおよび情報、またはそれらの組み合わせから選択される、確立するステップと、（ｅ）関連するプロダクトを登録するステップとをさらに含む、段落Ａ１に記載のプロセス。
【０１２９】
Ａ３．オブジェクトは、１つ以上の文字、１つ以上の声明、１つ以上の段落、１つ以上の絵、１つ以上の画像、１つ以上の音声、１つ以上の他の種類のメディア、またはそれらの組み合わせまたはその部分、から選択される、段落Ａ２に記載のプロセス。
【０１３０】
Ａ４．（ｆ）指定のプロダクトオブジェクトが以前登録されたかを決定し、そうでなければ、新たなプロダクト登録保持部を作成し、プロダクトに対して収集したすべての情報とともに他のデータおよび情報を新たなプロダクト登録保持部に与え、新たなプロダクト登録をコンテンツに関連付けるステップをさらに含む、段落Ａ２に記載のプロセス。
【０１３１】
Ａ５．（ｆ）指定のプロダクトオブジェクトが以前登録されたかを決定し、そうであれば、情報を与えるか、または登録保持部を更新することによってプロダクトをオブジェクトに関連付けるステップをさらに含む、段落Ａ２に記載のプロセス。
【０１３２】
Ａ６．（ｇ）プロダクトの信頼性を検証検定するステップと、（ｈ）システムにおいてプロダクトに関係する情報を更新するステップとをさらに含む、段落Ａ５に記載のプロセス。
【０１３３】
Ａ７．ステップ（ａ）において、コンテンツがウェブサイト、ウェブコンテンツ、ウェブログ／フォーラム、ＸＭＬコンテンツ、ＨＴＭＬ  コンテンツ、電子書類、または電子コンテンツから取得される、段落Ａ１に記載のプロセス。
【０１３４】
Ｂ１．（ａ）コンテンツを作成する、またはソースからコンテンツを取得するステップと、（ｂ）コンテンツ内のオブジェクトを指定するステップと、（ｃ）プロダクトを指定し、オブジェクトにプロダクトを関連付けるステップとを含む、マーケティングおよび／または商業用のオンラインシステムにおいてコンテンツを１つ以上のプロダクトとともに登録するプロセス。
【０１３５】
Ｂ２．（ｄ）少なくとも１つの要素への少なくとも１つのポインタ、または少なくとも１つの要素に関係する情報を含む少なくとも１つの保持部を確立するステップであって、該少なくとも１つの要素はコンテンツ、ユーザ、オブジェクト、またはその他のデータおよび情報、またはそれらの組み合わせから選択される、確立するステップと、（ｅ）該コンテンツを関連するプロダクトと登録するステップとをさらに含む、段落Ｂ１に記載のプロセス。
【０１３６】
Ｂ３．オブジェクトは、１つ以上の文字、１つ以上の声明、１つ以上の段落、１つ以上の絵、１つ以上の画像、１つ以上の音声、１つ以上の他の種類のメディア、またはそれらの組み合わせまたはその部分、から選択される、段落Ｂ２に記載のプロセス。
【０１３７】
Ｂ４．（ｆ）コンテンツが以前にシステムに登録されたかどうかを決定するステップをさらに含み、決定するステップは（ｉ）該コンテンツが以前に登録されていない場合、ユーザおよび該コンテンツと関連付けられる新たなコンテンツ登録保持部を作成し、該コンテンツ、オブジェクト、プロダクト、登録者、およびその他のデータならびに情報を特定し関連付けるために必要な情報を生成することと、（ｉｉ）該コンテンツが以前に登録された場合は、ユーザ情報およびコンテンツ情報を用いて、既存の対応する登録情報を取り出すことと、（ｉｉｉ）親コンテンツを有する新たに作成したコンテンツに対しては、親−子コンテンツ関係性を記録することとを含む、段落Ｂ３に記載のプロセス。
【０１３８】
Ｂ５．該コンテンツ内のオブジェクトを特定するステップは、オブジェクトをハイライトするか、またはオブジェクトをマークすることを含む、段落Ｂ１に記載のプロセス。
【０１３９】
Ｂ６．特有なコンテンツソースのポインタまたは保持部は、元のコンテンツの元の位置にて元のコンテンツの情報を指すまたは保持し、コンテンツの複製を作成するように生成される、段落Ｂ２に記載のプロセス。
【０１４０】
Ｃ１．中に少なくとも１つのオブジェクトを有する、新たなコンテンツ（子コンテンツ）を取得する、または作成するステップと、子コンテンツの少なくとも一つのオブジェクトが他のコンテンツ（親コンテンツ）内の少なくとも一つのオブジェクトと相関するかを検証するステップと、相関する場合、親コンテンツにおいて指定されたプロダクトオブジェクトを子コンテンツと関連付けるステップとを含む、親コンテンツおよび子コンテンツを統合するためのプロセス。
【０１４１】
Ｃ２．子コンテンツを、親コンテンツと関連付けられた、対応するプロダクトオブジェクトからのプロダクト情報と登録するステップと、親−子コンテンツ関係性を記録するステップとをさらに含む、段落Ｃ１に記載のプロセス。
【０１４２】
Ｄ１．コンテンツを取得するステップと、コンテンツに関連付けられた情報から親−子コンテンツ関係性を確立するステップと、親−子コンテンツ関係性を追跡するステップと、親−子コンテンツ関係性に基づいて、活動スケジュールを確立するステップとを含む、コンテンツ登録に基づく活動を追跡するプロセス。
【０１４３】
Ｄ２．確立された活動を追跡するステップをさらに含む、段落Ｄ１に記載のプロセス。
【０１４４】
Ｅ１．連鎖反応のマーケティングおよび販売のためのプロセスであって、（ａ）プロダクト（複数可）またはプロダクトオブジェクト（複数可）が関連付けられたコンテンツ（親コンテンツ）を取得するステップと、（ｂ）追加のコンテンツ（子コンテンツ）を取得または作成するステップと、（ｃ）子コンテンツ内のオブジェクトが親コンテンツ内のオブジェクトまたは親コンテンツで指定されたプロダクトオブジェクトと相関するかを検証し、次に相関する場合、親コンテンツと関連付けられたプロダクト（複数可）またはプロダクトオブジェクト（複数可）を子コンテンツと関連付けるステップとを含む、プロセス。
【０１４５】
Ｅ２．コメントを親コンテンツの子コンテンツとして関連付けられたコメント作成者と登録するステップをさらに含む、段落Ｅ１に記載のプロセス。
【０１４６】
Ｅ３．子コンテンツを親コンテンツに関連付けるステップをさらに含む、段落Ｅ２に記載のプロセス。
【０１４７】
Ｆ１．識別情報保持部またはポインタと、親−子関係情報保持部またはポインタと、コンテンツ登録情報保持部またはポインタと、プロダクト登録情報保持部またはポインタと、追加情報保持部またはポインタとを含む、マーケティングおよび商業を行うためのコンピュータに基づくオンラインシステムにおいて使用するための連鎖ハンガー構造。
【０１４８】
Ｆ２．コンテンツ特性のリストを提供するステップと、一式のプロダクトオブジェクトを提供することとを含み、連鎖ハンガー構造がコンテンツを有するプロダクトオブジェクトを構造化し、コンテンツ、プロダクト、コンテンツ執筆者、コンテンツならびにプロダクト登録者、コンテンツ登録およびプロダクト登録を相互に連付け、コンテンツ親−子関係を追跡する、段落Ｆ１の連鎖ハンガー構造の実装方法。
【０１４９】
Ｆ３．少なくとも１つのソースコンテンツに関係する情報を保持するか、少なくとも１つのソースコンテンツを指す少なくとも１つのポインタを提供する、一式のコンテンツソースＩＤＳと、少なくとも１つの親コンテンツに関係する情報を保持するか、少なくとも１つの親コンテンツを指す少なくとも１つのポインタを提供する、一式のコンテンツソースＩＤＳと、コンテンツの少なくとも１つの発信元に関係する情報を保持するか、コンテンツの少なくとも１つの発信元を指す少なくとも１つのポインタを提供する、一式の発信元と、プロダクトオブジェクトの少なくとも１つの識別子に関係する情報を保持するか、プロダクトオブジェクトの少なくとも１つの識別子を指す少なくとも一つのポインタを提供する、一式のプロダクトオブジェクトと、をコンテンツ特性のリストが含む、段落Ｆ２に記載の方法。
【０１５０】
Ｆ４．少なくとも１つのプロダクト登録者に関係する情報を保持するか、少なくとも１つのプロダクト登録者を指す少なくとも１つのポインタを提供する、一式のプロダクト登録者と、コンテンツが再表示されるときにコンテンツ内のプロダクトオブジェクトの指定を復元する情報に関係する情報を保持するか、コンテンツが再表示されるときにコンテンツ内のプロダクトオブジェクトの指定を復元する情報を指す少なくとも１つのポインタを提供する、レジデンシャル情報と、プロダクト登録情報に関係する情報を保持するか、プロダクト登録情報を指す少なくとも１つのポインタを提供する、プロダクトＩＤと、プロダクトオブジェクトの識別子に関係する情報を保持するか、プロダクトオブジェクトの識別子を指す少なくとも１つのポインタを提供する、プロダクトオブジェクトＩＤと、を一式のプロダクトオブジェクトが含み、プロダクトオブジェクトＩＤが、プロダクトオブジェクトの要素によってインデックス化される、またはポインタで指される、段落Ｆ２に記載の方法。
【０１５１】
Ｇ１．マーケティングおよび商業用のオンラインシステムにおけるプロダクト登録方法であって、（ａ）コンテンツを作成するか、ソースからコンテンツを取得するステップと、（ｂ）コンテンツ内のオブジェクトを指定するステップと、（ｃ）プロダクトを指定し、プロダクトをオブジェクトと関連付け、プロダクトオブジェクトを形成するステップと、（ｄ）関連付けられたプロダクトを登録するステップと、（ｅ）指定のプロダクトオブジェクトが以前に登録されたかを決定し、そうでなければ、連鎖ハンガーの一式のプロダクトオブジェクトから空のプロダクトオブジェクトを取得し、特有なプロダクトオブジェクトＩＤを与え、連鎖ハンガーのコンテンツ特性のリストにおけるプロダクトオブジェクトに該プロダクトオブジェクトＩＤを含むステップと、を含む、方法。
【０１５２】
Ｇ２．（ｆ）指定のプロダクトオブジェクトが以前に登録されたかを決定し、そうであれば情報を与えるか、連鎖ハンガーを更新するステップと、（ｇ）プロダクトの信頼性を検証検定するステップと、（ｈ）システムにおいてプロダクトに関係する情報を更新するステップとをさらに含む、段落Ｇ１に記載のプロセス。
【０１５３】
Ｇ３．ステップ（ａ）において、コンテンツがウェブサイト、ウェブコンテンツ、ウェブログ／フォーラム、ＸＭＬコンテンツ、ＨＴＭＬ  コンテンツ、電子書類、または電子コンテンツから取得される、段落Ｇ２に記載のプロセス。
【０１５４】
Ｇ４．少なくとも１つの要素への少なくとも１つのポインタ、または少なくとも１つの要素に関係する情報を含む少なくとも１つの保持部を確立することであって、該少なくとも１つの要素はコンテンツ、ユーザ、オブジェクト、またはその他のデータおよび情報、またはそれらの組み合わせから選択される、確立するステップをさらに含み、少なくとも１つのポインタまたは少なくとも１つの保持部を確立するステップは関連付けられたプロダクトを登録するステップの前に行う、段落Ｇ１に記載のプロセス。
【０１５５】
Ｇ５．オブジェクトは、１つ以上の文字、１つ以上の声明、１つ以上の段落、１つ以上の絵、１つ以上の画像、１つ以上の音声、１つ以上の他の種類のメディア、またはそれらの組み合わせまたはその部分、から選択される、段落Ｇ１に記載のプロセス。
【０１５６】
Ｈ１．マーケティングおよび商業用のオンラインシステムにおいて１つ以上のプロダクトとともにコンテンツを登録する方法であって、（ａ）コンテンツを作成するか、ソースからコンテンツを取得するステップと、（ｂ）コンテンツ内のオブジェクトを指定するステップと、（ｃ）プロダクトを指定し、該プロダクトを該オブジェクトと関連付けるステップと、（ｄ）コンテンツを関連付けられたプロダクトに登録するステップと、（ｅ）コンテンツが以前にシステムに登録されたかを決定し、その決定することは、（ｉ）コンテンツが以前に登録されていない場合、ユーザおよびコンテンツと関連付けられる新たな連鎖ハンガーを作成し、特有なコンテンツソースＩＤＳを生成することと、（ｉｉ）コンテンツが以前に登録された場合は、既存の対応する連鎖ハンガーを、ユーザ情報およびコンテンツ情報を使用し取り出すことと、（ｉｉｉ）親コンテンツを有する新たに作成したコンテンツに対しては、親コンテンツのコンテンツソースＩＤＳを親コンテンツを有する新たに作成したコンテンツに対する連鎖ハンガーの親コンテンツＩＤＳに与えるか、または親コンテンツが存在しない場合、ＮＵＬＬ値を連鎖ハンガーの親コンテンツＩＤＳに与えることと、を含むステップと、（ｆ）連鎖ハンガーの発信元としてコンテンツ執筆者を記録するステップと、を含む、方法。
【０１５７】
Ｈ２．該コンテンツ内のオブジェクトを特定するステップは，オブジェクトをハイライトするか、またはオブジェクトをマークすることを含む、段落Ｈ１に記載のプロセス。
【０１５８】
Ｈ３．特有なコンテンツソースＩＤＳは、元のコンテンツの元の位置にて元のコンテンツの情報を指し、コンテンツの複製を作成するように生成される、段落Ｈ２に記載のプロセス。
【０１５９】
Ｉ１．連鎖反応のマーケティングおよび販売のための方法であって、（ａ）登録されたプロダクトオブジェクトおよび連鎖ハンガーを含むコンテンツ（親コンテンツ）を取得するステップと、（ｂ）親コンテンツの連鎖ハンガーからコンテンツソースＩＤＳを取り出すステップと、（ｃ）親コンテンツにコメントを提供し関連付けるステップと（ｄ）コメント内のオブジェクトが親コンテンツ内のオブジェクトまたは親コンテンツ内のプロダクトオブジェクトに対応するかを確認し、対応する場合、新たな連鎖ハンガーを作成し、新たな連鎖ハンガーをコメント作成者およびコメントに関連付けるステップと、（ｅ）新たな連鎖ハンガーのコンテンツ特性のリストを更新するステップと、を含む、方法。
【０１６０】
Ｉ２．親コンテンツからの一式のプロダクトオブジェクトを関連付け、関連付けられたプロダクトオブジェクトをコメントに関係付けるステップと、新たな連鎖ハンガーの一式のプロダクトオブジェクトから空のプロダクトオブジェクトリストを取得するステップと、プロダクトオブジェクトリスト内および新たな連鎖ハンガー内の要素を更新するステップをさらに含み、コンテンツソースＩＤＳは、コメントの新たな連鎖ハンガーの親コンテンツＩＤＳとして機能し、コンテンツがウェブサイト、ウェブコンテンツ、ウェブログ／フォーラム、ＸＭＬコンテンツ、ＨＴＭＬ  コンテンツ、電子書類、または電子コンテンツまたはそれらの組合せまたはその一部を含む、段落Ｉ１に記載の方法。
【０１６１】
Ｊ１．（ａ）登録されたプロダクトオブジェクトと関連してコンテンツを取得するステップと、（ｂ）ユーザが購入したいプロダクトを含むコンテンツからプロダクトオブジェクトを指定するステップと、（ｃ）ユーザ、コンテンツ、プロダクトオブジェクト、およびその他のデータならびに情報に関する情報を処理するステップと、（ｄ）プロダクト購入情報を取り出すステップと、（ｅ）購入取引を完了するステップとを含む、オンライン商業取引を行うためのプロセス。
【０１６２】
Ｊ２．追跡、後活動および報告のためにすべての責任情報を記録するステップをさらに含む、段落Ｊ１に記載のプロセス。
【０１６３】
Ｊ３．該コンテンツが、ウェブサイト、ウェブコンテンツ、ウェブログ、ＸＭＬコンテンツ、ＨＴＭＬ  コンテンツ、電子書類、電子コンテンツまたはそれらの組み合わせもしくは部分を含む、段落Ｊ１に記載のプロセス。
【０１６４】
Ｋ１．連鎖反応のマーケティングおよび商業を行うための方法であって、（ａ）コンテンツを登録するステップと、（ｂ）プロダクトを登録するステップと、（ｃ）連鎖反応マーケティングを行うステップと、（ｄ）オンライン商業を行うステップとを含み、該オンライン商業を行うステップは、（ｉ）登録されたプロダクトオブジェクトが関連付けられたコンテンツを取得するステップと、（ｉｉ）ユーザが購入したいプロダクトを含むコンテンツからプロダクトオブジェクトを特定するステップと、（ｉｉｉ）ユーザ、コンテンツ、プロダクトオブジェクト、およびその他のデータならびに情報に関する情報を処理するステップと、（ｉｖ）プロダクト購入情報を取り出すステップと、（ｖ）購入取引を完了するステップとを含む、方法。
【０１６５】
Ｋ２．該コンテンツを登録するステップは、（ｉ）コンテンツを作成するか、ソースからコンテンツを取得するステップと、（ｉｉ）コンテンツ内のオブジェクトを指定するステップであって、オブジェクトが１つ以上の文字、１つ以上の声明、１つ以上の段落、１つ以上の絵、１つ以上の画像、１つ以上の音声、１つ以上の他の種類のメディア、またはそれらの組み合わせまたはその部分、から選択される、ステップと、（ｉｉｉ）コンテンツが以前にシステムに登録されたかを決定するステップと、（ｉｖ）コンテンツが以前に登録されていない場合、ユーザおよびコンテンツと関連付けられる新たな連鎖ハンガーを作成し、特有なコンテンツソースＩＤＳを生成するステップと、（ｖ）コンテンツが以前に登録された場合は、既存の対応する連鎖ハンガーを、ユーザ情報およびコンテンツ情報を使用し取り出すステップと、（ｖｉ）親コンテンツを有する新たに作成したコンテンツに対しては、親コンテンツのコンテンツソースＩＤＳを親コンテンツを有する新たに作成したコンテンツに対する連鎖ハンガーの親コンテンツＩＤＳに与えるか、または親コンテンツが存在しない場合、ＮＵＬＬ値を連鎖ハンガーの親コンテンツＩＤＳに与えることと、を含むステップと、（ｖｉｉ）連鎖ハンガーの発信元としてコンテンツ執筆者を記録するステップと、をさらに含む、段落Ｋ１に記載の方法。
【０１６６】
Ｋ３．該プロダクトを登録するステップは、（ｉ）指定されたプロダクトオブジェクトが以前に登録されたかを決定し、されていない場合、空のプロダクトオブジェクトリストが連鎖ハンガーの一式のプロダクトオブジェクトから取得し、固有なプロダクトオブジェクトＩＤを与え、該プロダクトオブジェクトＩＤが連鎖ハンガーのコンテンツ特性のリストのプロダクトオブジェクトに含まれること、をさらに含む、段落Ｋ２に記載の方法。
【０１６７】
Ｋ４．該プロダクトを登録するステップは、（ｉｉ）指定のプロダクトオブジェクトが以前に登録されたかを決定し、そうであれば、情報を与えるか、連鎖ハンガーにおいて更新することをさらに含む、段落Ｋ３に記載の方法。
【０１６８】
Ｋ５．該連鎖反応のマーケティングを行うステップは、（ｉ）登録されたプロダクトオブジェクトおよび連鎖ハンガーが関連付けられたコンテンツを取得するステップと、（ｉｉ）コンテンツの連鎖ハンガーからコンテンツソースＩＤＳを取り出すステップと、（ｉｉｉ）コンテンツにコメントを提供し関連付けるステップと、（ｉｖ）コメント内のオブジェクトが親コンテンツ内のオブジェクトまたは親コンテンツの連鎖ハンガー内のプロダクトオブジェクトに対応するかを確認し、対応する場合、新たな連鎖ハンガーを作成し、コメント作成者およびコメントに関連付けるステップと、（ｖ）新たな連鎖ハンガーのコンテンツ特性のリストを更新するステップと、をさらに含む、段落Ｋ１に記載の方法。
【０１６９】
Ｋ６．該連鎖反応マーケティングを行うステップは親の連鎖ハンガーからの一式のプロダクトオブジェクトを相関させ、コメントにおいて一致したプロダクトオブジェクトを関連付けることをさらに含む、段落Ｋ５に記載の方法。
【０１７０】
Ｋ７．該連鎖反応マーケティングを行うステップは、新たな連鎖ハンガーの一式のプロダクトオブジェクトから空のプロダクトオブジェクトリストを取得することをさらに含む、段落Ｋ６に記載の方法。
【０１７１】
Ｋ８．該連鎖反応マーケティングを行うステップは、プロダクトオブジェクトリストおよび新たな連鎖ハンガーにおいて全ての要素を更新することをさらに含む、段落Ｋ７に記載の方法。
【０１７２】
Ｌ１．連鎖反応のマーケティングおよび商業を行うためのコンピュータに基づくオンラインシステムであって、（ａ）プロダクト登録ツール、コメント提供ツール、および商業実施ツールを含む複数のシステムツールに動作可能に接続されるシステム情報を管理するように構成された中央制御レポジトリと、（ｂ）プロダクト登録ツールおよびコメント提供ツールに動作可能に接続される、システムコンテンツを保存し管理するように構成されるコンテンツレポジトリと、（ｃ）プロダクト登録ツールおよびコメント提供ツールに動作可能に接続される、ユーザ情報を保存し管理するように構成されるユーザレポジトリと、（ｄ）プロダクト登録ツールおよび商業実施ツールに動作可能に接続される、プロダクト情報を保存し管理するように構成されるプロダクトレポジトリと、（ｅ）商業実施ツールに動作可能に接続される、商業情報を保存し管理するように構成される商業レポジトリと、を含む、システム。
【０１７３】
Ｌ２．該中央制御レポジトリは連鎖ハンガーを実装する、段落Ｌ１に記載のシステム。
【０１７４】
Ｌ３．各連鎖ハンガーがコンテンツ特性のリストおよび一式のプロダクトオブジェクトを含む、段落Ｌ２に記載のシステム。
【０１７５】
Ｌ４．各連鎖ハンガーがコンテンツを有するオブジェクトを構造化し、コンテンツ、プロダクト、コンテンツ執筆者およびプロダクト登録者を相互に関連付ける、段落Ｌ３に記載のシステム。
【０１７６】
Ｌ５．複数の連鎖ハンガーを層の形式に管理するように構成され、後活動を確立するように構成されるコンテンツ継承階層をさらに含む、段落Ｌ４に記載のシステム。
【０１７７】
Ｌ６．連鎖反応のマーケティングおよび商業を行うためのコンピュータシステムであって、ＣＰＵ、コンピュータ可読メモリ、およびコンピュータ可読ストレージ媒体と、コンテンツを登録する、第１のプログラム命令と、プロダクトを登録する第２のプログラム命令と、連鎖反応マーケティングを行う第３のプログラム命令と、オンライン商業を行う第４のプログラム命令であって、（ｉ）登録されたプロダクトオブジェクトおよび連鎖ハンガーが関連付けられたコンテンツを取得するステップと、（ｉｉ）ユーザが購入したいプロダクトを含むコンテンツからプロダクトオブジェクトを特定するステップと、（ｉｉｉ）ユーザ、コンテンツ、プロダクトオブジェクト、およびその他のデータならびに情報に関する情報を処理するステップと、（ｉｖ）プロダクト購入情報を取り出すステップと、（ｖ）購入取引を完了するステップとを含む、第４のプログラム命令と、を含み、第１〜４のプログラム命令は、ＣＰＵにより、コンピュータ可読メモリを介し、実行するために、コンピュータ可読ストレージ媒体に保存される、コンピュータシステム。
【０１７８】
Ｌ７．該コンテンツを登録する第１のプログラム命令は、（ｉ）コンテンツを作成するか、コンテンツのソースからコンテンツを取得するステップと、（ｉｉ）コンテンツ内のオブジェクトを指定するステップであって、オブジェクトが１つ以上の文字、１つ以上の声明、１つ以上の段落、１つ以上の絵、１つ以上の画像、１つ以上の音声、１つ以上の他の種類のメディア、またはそれらの組み合わせまたはその部分、から選択される、ステップと、（ｉｉｉ）コンテンツが以前にシステムに登録されたかを決定するステップと、（ｉｖ）コンテンツが以前に登録されていない場合、ユーザおよびコンテンツと関連付けられる新たな連鎖ハンガーを作成し、特有なコンテンツソースＩＤＳを生成するステップと、（ｖ）コンテンツが以前に登録された場合は、既存の対応する連鎖ハンガーを、ユーザ情報およびコンテンツ情報を使用し取り出すステップと、（ｖｉ）親コンテンツを有する新たに作成したコンテンツに対しては、親コンテンツのコンテンツソースＩＤＳを親コンテンツを有する新たに作成したコンテンツに対する連鎖ハンガーの親コンテンツＩＤＳに与えるか、または親コンテンツが存在しない場合、ＮＵＬＬ値を連鎖ハンガーの親コンテンツＩＤＳに与えることと、を含むステップと、（ｖｉｉ）連鎖ハンガーの発信元としてコンテンツ執筆者を記録するステップと、を含む、段落Ｌ６に記載のコンピュータシステム。
【０１７９】
Ｌ８．該プロダクトを登録する第２のプログラム命令は、（ｉ）指定されたプロダクトオブジェクトが以前に登録されたかを決定し、されていない場合、空のプロダクトオブジェクトリストが連鎖ハンガーの一式のプロダクトオブジェクトを取得し、固有なプロダクトオブジェクトＩＤを与え、該プロダクトオブジェクトＩＤが連鎖ハンガーのコンテンツ特性のリストのプロダクトオブジェクトに含むこと、をさらに含む、段落Ｌ７に記載のコンピュータシステム。
【０１８０】
Ｌ９．該プロダクトを登録するステップは、（ｉｉ）指定のプロダクトオブジェクトが以前に登録されたかを決定し、そうであれば、情報を与えるか、連鎖ハンガーにおいて更新することをさらに含む、段落Ｌ８に記載のコンピュータシステム。
【０１８１】
Ｌ１０．該連鎖反応のマーケティングを行う第３のプログラム命令は、（ｉ）登録されたプロダクトオブジェクトおよび連鎖ハンガーが関連付けられたコンテンツを取得するステップと、（ｉｉ）コンテンツの連鎖ハンガーからコンテンツソースＩＤＳを取り出すステップと、（ｉｉｉ）コンテンツにコメントを提供し関連付けるステップと、（ｉｖ）コメント内のオブジェクトが親コンテンツ内のオブジェクトまたは親コンテンツの連鎖ハンガー内のプロダクトオブジェクトに対応するかを確認し、対応する場合、新たな連鎖ハンガーを作成し、コメント作成者およびコメントに関連付けるステップと、（ｖ）新たな連鎖ハンガーのコンテンツ特性のリストを更新するステップと、を含む、段落Ｌ１に記載のコンピュータシステム。
【０１８２】
Ｌ１１．該連鎖反応マーケティングを行う第３のプログラム命令は親の連鎖ハンガーからの一式のプロダクトオブジェクトを相関させ、コメントにおいて一致したプロダクトオブジェクトを関連付けることをさらに含む、段落Ｌ１０に記載のコンピュータシステム。
【０１８３】
Ｌ１２．該連鎖反応マーケティングを行う第３のプログラム命令は、新たな連鎖ハンガーの一式のプロダクトオブジェクトから空のプロダクトオブジェクトリストを取得することをさらに含む、段落Ｌ１１に記載のコンピュータシステム。
【０１８４】
Ｌ１３．該連鎖反応マーケティングを行う第３のプログラム命令は、プロダクトオブジェクトリストおよび新たな連鎖ハンガーにおいて全ての要素を更新することをさらに含む、段落Ｌ１２に記載のコンピュータシステム。
【０１８５】
Ｍ１．コンピュータプログラムプロダクトであって、ストレージ媒体に組み込まれた可読プログラムコードを有するコンピュータ可読ストレージ媒体を含み、コンテンツを作成する、またはソースからコンテンツを取得することと、コンテンツ内のオブジェクトを指定することと、プロダクトを指定し、オブジェクトにプロダクトを関連付け、プロダクトオブジェクトを形成することと関連付けられたプロダクトを登録することとを操作可能な、少なくとも１つのコンポーネントを含む、コンピュータプログラムプロダクト。
【０１８６】
Ｍ２．少なくとも１つの要素への少なくとも１つのポインタ、または少なくとも１つの要素に関係する情報を含む少なくとも１つの保持部を確立するように操作可能である、少なくとも１つのコンポーネントをさらに含み、該少なくとも１つの要素はコンテンツ、ユーザ、オブジェクト、またはその他のデータおよび情報、またはそれらの組み合わせから選択される、段落Ｍ１に記載のコンピュータプログラムプロダクト。
【０１８７】
Ｍ３．該オブジェクトは、１つ以上の文字、１つ以上の声明、１つ以上の段落、１つ以上の絵、１つ以上の画像、１つ以上の音声、１つ以上の他の種類のメディア、またはそれらの組み合わせまたはその部分、から選択される、段落Ｍ１に記載のコンピュータプログラムプロダクト。
【０１８８】
Ｎ１．ハードウェアおよびソフトウェアの組み合わせを含むコンピュータインフラストラクチャにおいて実装される方法であって、コンテンツを作成する、またはソースからコンテンツを取得することと、コンテンツ内のオブジェクトを指定することと、プロダクトを指定し、オブジェクトにプロダクトを関連付け、プロダクトオブジェクトを形成することと関連付けられたプロダクトを登録することとを含む、方法。
【０１８９】
Ｎ２．サービスプロバイダがコンピュータインフラストラクチャを作成するか、保持するか、導入するか、サポートするかの少なくとも１つを提供する、段落Ｎ１に記載の方法。
【０１９０】
Ｎ３．段落Ｎ１に記載のステップは、加入、広告および／または料金に基づいてサービスプロバイダにより提供される、請求Ｎ２に記載の方法。
【０１９１】
Ｎ４．少なくとも１つの要素への少なくとも１つのポインタ、または少なくとも１つの要素に関係する情報を含む少なくとも１つの保持部を確立することであって、該少なくとも１つの要素はコンテンツ、ユーザ、オブジェクト、またはその他のデータおよび情報、またはそれらの組み合わせから選択される、確立するステップをさらに含み、少なくとも１つのポインタまたは少なくとも１つの保持部を確立するステップは関連付けられたプロダクトを登録するステップの前に行う、段落Ｎ１に記載のプロセス。
【０１９２】
Ｎ５．オブジェクトは、１つ以上の文字、１つ以上の声明、１つ以上の段落、１つ以上の絵、１つ以上の画像、１つ以上の音声、１つ以上の他の種類のメディア、またはそれらの組み合わせまたはその部分、から選択される、段落Ｎ４に記載のプロセス。
【産業上の利用可能性】
【０１９３】
本明細書に開示されるシステムおよび方法は、オンライン商業業界に適用可能である。
【０１９４】
すべての特許、試験手順、および優先権書類を含む本明細書に引用される他の文書は、そのような開示が本開示と矛盾しない限り、そのような組み込みが許可されるすべての法域に対して、参照により組み込まれる。
【０１９５】
本明細書で開示される例示的な実施形態が、詳細に記載されている一方で、他の様々な修正が当業者にとって明らかであり、本開示の精神および範囲から逸脱することなく、彼らによって容易になされ得るということが理解されるであろう。したがって、本明細書に添付する特許請求の範囲の範囲は、本明細書に明記される例および記載に限定されることが意図されるのではなくむしろ、特許請求の範囲は、本開示に関係する当業者によってそれらの同等物として取り扱われるであろう全ての特徴を含む、本明細書に存在する特許性のある新規性の全ての特徴を網羅することとして理解される。
【図１】
2015524957.tif 000003
【図２】
2015524957.tif 000004
【図３】
2015524957.tif 000005
【図４】
2015524957.tif 000006
【図５】
2015524957.tif 000007
【図６】
2015524957.tif 000008
【図７】
2015524957.tif 000009
【図８】
2015524957.tif 000010
【図９】
2015524957.tif 000011
【国際調査報告】
2015524957.tif 000012